(57)【要約】  血管内流体移動デバイスが、折り畳まれた状態の送達構成および拡大した状態の配備構成を有する拡大可能部材であって、拡大可能部材が近位端および遠位端を有する、拡大可能部材と、拡大可能部材内に径方向にかつ軸方向に配置される回転可能部材と、拡大可能部材に結合される導管であって、導管が導管の遠位端と導管の近位端との間に血流ルーメンを少なくとも部分的に画定する、導管と、を有し、導管が拡大可能部材の遠位側セクションにおいては拡大可能部材の径方向内側にのみ配置される。【選択図】図３Ｂ
2020523090.tif 000002
【特許請求の範囲】
【請求項１】
血管内血液ポンプであって、前記血管内血液ポンプが：
折り畳まれた状態の送達構成および拡大した状態の配備構成を有する拡大可能部材であって、前記拡大可能部材が近位端および遠位端を有する、拡大可能部材と；
前記拡大可能部材内に径方向にかつ軸方向に配置される羽根車と；
前記拡大可能部材に結合される導管であって、前記導管が前記導管の遠位端と前記導管の近位端との間に血流ルーメンを少なくとも部分的に画定する、導管と、
を備え、
前記導管が前記拡大可能部材の遠位側セクションにおいては前記拡大可能部材の径方向内側にのみ配置される、
血管内血液ポンプ。
【請求項２】
前記拡大可能部材の近位側セクションおよび前記遠位側セクションの各々が、軸方向において前記近位側セクションと前記遠位側セクションとの間に配置される前記拡大可能部材の中央領域の最外寸法より大きい最外寸法を有する、請求項１に記載の血液ポンプ。
【請求項３】
前記導管の遠位端が外側に張り出す構成を有する、請求項１に記載の血液ポンプ。
【請求項４】
前記導管の近位端が外側に張り出す構成を有さない、請求項３に記載の血液ポンプ。
【請求項５】
前記羽根車に動作可能に接続される駆動ケーブルをさらに備える、請求項１に記載の血液ポンプ。
【請求項６】
前記拡大可能部材に結合されて前記羽根車の遠位側で前記駆動シャフトの周りを延在する複数の遠位側センタリングストラットと、前記拡大可能部材に結合されて前記羽根車の近位側で前記駆動シャフトの周りを延在する複数の近位側センタリングストラットとをさらに備える、請求項５に記載の血液ポンプ。
【請求項７】
前記導管が、不透過性膜および半透過性膜のうちの１つから選択される、請求項１に記載の血液ポンプ。
【請求項８】
前記拡大可能部材が複数のアパーチャを画定する複数の細長い要素を備える、請求項１に記載の血液ポンプ。
【請求項９】
前記導管が前記導管の前記近位端から前記導管の前記遠位端まで前記拡大可能部材内に径方向に配置される、請求項１に記載の血液ポンプ。
【請求項１０】
前記導管が前記拡大可能部材の径方向内側にのみ配置される場合、前記導管が、前記導管と前記拡大可能部材との間に隙間を有して、径方向において拡大可能部材から離隔される、請求項１に記載の血液ポンプ。
【請求項１１】
血管内血液ポンプであって、前記血管内血液ポンプが：
折り畳まれた状態の送達構成および拡大した状態の配備構成を有する拡大可能部材であって、前記拡大可能部材が近位端および遠位端を有する、拡大可能部材と；
前記拡大可能部材内に径方向にかつ軸方向に配置される羽根車と；
前記拡大可能部材に取り付けられる導管であって、前記導管が前記導管の遠位端と前記導管の近位端との間に血流ルーメンを少なくとも部分的に画定する、導管と、
を備え、
前記導管が前記拡大可能部材の近位側領域において前記拡大可能部材の径方向外側に配置され、前記拡大可能部材の遠位側領域において前記拡大可能部材の径方向内側にのみ配置される、
血管内血液ポンプ。
【請求項１２】
前記近位側領域および前記遠位側領域の各々が、軸方向において前記近位側領域と前記遠位側領域との間に配置される前記拡大可能部材の中央領域の最外寸法より大きい最外寸法を有する、請求項１１に記載の血液ポンプ。
【請求項１３】
前記導管が前記中央領域において前記拡大可能部材の径方向内側に配置される、請求項１１に記載の血液ポンプ。
【請求項１４】
前記導管の遠位端が外側に張り出す構成を有する、請求項１１に記載の血液ポンプ。
【請求項１５】
前記羽根車に動作可能に接続される駆動ケーブルをさらに備える、請求項１１に記載の血液ポンプ。
【請求項１６】
前記拡大可能部材に結合されて前記羽根車の遠位側で前記駆動シャフトの周りを延在する複数の遠位側センタリングストラットと、前記拡大可能部材に結合されて前記羽根車の近位側で前記駆動シャフトの周りを延在する複数の近位側センタリングストラットとをさらに備える、請求項１１に記載の血液ポンプ。
【請求項１７】
前記導管が不透過性膜である、請求項１１に記載の血液ポンプ。
【請求項１８】
前記拡大可能部材が複数のアパーチャを画定する複数の細長い要素を備える、請求項１１に記載の血液ポンプ。
【請求項１９】
血管内血液ポンプであって、前記血管内血液ポンプが：
配備可能な遠位側作用部分であって、前記配備可能な遠位側作用部分が、配備構成において：
折り畳まれた状態の送達構成および配備構成を有する遠位側拡大可能部材であって、前記遠位側拡大可能部材が近位端および遠位端を有する、遠位側拡大可能部材と；
前記遠位側拡大可能部材内に径方向にかつ軸方向に配置される遠位側羽根車と；
折り畳まれた状態の送達構成および配備構成を有する近位側拡大可能部材であって、前記近位側拡大可能部材が近位端および遠位端を有し、前記近位側拡大可能部材の遠位端が前記遠位側拡大可能部材の前記近位端から軸方向において離隔される、近位側拡大可能部材と；
前記近位側拡大可能部材内に径方向にかつ軸方向に配置される近位側羽根車であって、前記近位側羽根車が前記遠位側羽根車から近位側に離隔される、近位側羽根車と；
前記遠位側拡大可能部材の前記近位端と前記近位側拡大可能部材の前記遠位端との間を軸方向に延在する、前記遠位側拡大可能部材および前記近位側拡大可能部材に結合される導管であって、前記導管が前記導管の遠位端と前記導管の近位端との間に血流ルーメンを少なくとも部分的に画定する、導管と；
を有し、
前記導管の中央領域が一定の軸方向距離だけ延びており、前記遠位側拡大可能部材および前記近位側拡大可能部材が軸方向において前記中央領域の中まで延在せず、
前記遠位側拡大可能部材の前記遠位端が前記導管の前記遠位端よりも遠位側にさらに延在し、前記近位側拡大可能部材の前記近位端が前記導管の前記近位端より近位側にさらに延在する
配備可能な遠位側作用部分と；
前記作用部分から近位側に延在する細長い部分と、
を備える、
血管内血液ポンプ。
【請求項２０】
前記近位側拡大可能部材の前記遠位端が中央管状要素の近位端に結合され、前記遠位側拡大可能部材の前記近位端が前記中央管状要素の遠位端に結合され、前記中央管状要素が前記ルーメン内に配置され、前記近位側拡大可能部材と前記遠位側拡大可能部材との間を延在する、請求項１９に記載の血液ポンプ。
【請求項２１】
前記中央管状要素が前記折り畳み構成および前記配備構成の両方において等しい最外寸法を有する、請求項２０に記載の血液ポンプ。
【請求項２２】
前記近位側羽根車および前記遠位側羽根車が共通の駆動機構によって駆動される、請求項１９に記載の血液ポンプ。
【請求項２３】
前記共通の駆動機構が共通の駆動ケーブルを備える、請求項２２に記載の血液ポンプ。
【請求項２４】
前記共通の駆動ケーブルが前記近位側羽根車および前記遠位側羽根車に結合される、請求項２３に記載の血液ポンプ。
【請求項２５】
前記共通の駆動ケーブルが、第２のセクションを第１のセクションに隣接させて第２のセクションに結合される第１のセクションを有し、前記第１のセクションおよび前記第２のセクションが、共通の長手方向軸と、共通の長手方向軸を基準として直角に測定される共通の外側寸法とを有し、前記第１のセクションが第２のセクションより高い剛性を有し、前記遠位側羽根車または前記近位側羽根車のいずれかが前記第１のセクションに結合される、請求項２３に記載の血液ポンプ。
【請求項２６】
前記第１のセクションが第１の管状部材を有し、前記第２のセクションが巻き部材を有することができ、請求項２５に記載の血液ポンプ。
【請求項２７】
前記駆動ケーブルが前記第２のセクションに隣接する第３のセクションをさらに有し、前記第３のセクションが前記遠位側羽根車および前記近位側羽根車のもう一方に結合される、請求項２６に記載の血液ポンプ。
【請求項２８】
前記共通の駆動機構がルーメンを画定し、前記ルーメンが任意選択でガイドワイヤールーメンとして使用され得る、請求項２２に記載の血液ポンプ。
【請求項２９】
前記近位側羽根車および前記遠位側羽根車が共通のモータに動作可能に接続される、請求項１９に記載の血液ポンプ。
【請求項３０】
前記遠位側拡大可能部材が遠位側軸受および近位側軸受に結合され、駆動機構が前記遠位側軸受および前記近位側軸受を通って延在する、請求項１９に記載の血液ポンプ。
【請求項３１】
前記近位側拡大可能部材が遠位側軸受および近位側軸受に結合され、駆動機構が前記遠位側軸受および前記近位側軸受を通って延在する、請求項１９に記載の血液ポンプ。
【請求項３２】
前記遠位側拡大可能部材が、複数のアパーチャを画定するように互いを基準として配置される複数の細長いセグメントを備え、少なくとも前記複数のアパーチャのうちの１つのアパーチャの一部分が前記導管の前記遠位端の遠位側にあり、それにより前記ルーメンの中に血液が入るのを可能にするための少なくとも１つの血液入口アパーチャを画定する、請求項１９の記載の血液ポンプ。
【請求項３３】
前記近位側拡大可能部材が、第２の複数のアパーチャを画定するように互いを基準として配置される複数の細長いセグメントを備え、少なくとも前記第２の複数のアパーチャのうちの１つのアパーチャの一部分が前記導管の前記近位端の近位側にあり、それによりルーメンから血液が出るのを可能にするための少なくとも１つの出口アパーチャを画定する、請求項３２に記載の血液ポンプ。
【請求項３４】
前記遠位側拡大可能部材および前記近位側拡大可能部材の少なくとも一方が、網状である複数の細長いセグメントを有する、請求項１９に記載の血液ポンプ。
【請求項３５】
前記導管が不透過性である、請求項１９に記載の血液ポンプ。
【請求項３６】
前記導管が半透過性である、請求項１９に記載の血液ポンプ。
【請求項３７】
前記導管が、軸方向において前記遠位側拡大可能部材と前記近位側拡大可能部材との間にある前記中央領域内において、前記作用部分に加えられる径方向内向きの力に反応して前記拡大可能部材よりも容易に径方向内側に変形するように材料が適合されるような、材料で作られ得る、請求項１９に記載の血液ポンプ。
【請求項３８】
前記導管が、最大径寸法が前記近位側拡大可能部材の長手方向軸を基準として直角に測定されるようなかたちで前記近位側拡大可能部材に沿うロケーションにおいて前記近位側拡大可能部材に結合され、前記導管が、最大径寸法が前記遠位側拡大可能部材の長手方向軸を基準として直角に測定されるようなかたちで前記遠位側拡大可能部材に沿うロケーションにおいて前記遠位側拡大可能部材に結合される、請求項１９に記載の血液ポンプ。
【請求項３９】
前記導管が、前記近位側拡大可能部材に結合されるロケーションにおいて、前記近位側拡大可能部材内で径方向に配置され、前記導管が、前記遠位側拡大可能部材に結合されるロケーションにおいて、前記遠位側拡大可能部材内で径方向に配置される、請求項１９に記載の血液ポンプ。
【請求項４０】
前記導管がさらに、前記近位側拡大可能部材に結合されるロケーションにおいて、前記近位側拡大可能部材の径方向外側に配置され、前記導管がさらに、前記遠位側拡大可能部材に結合されるロケーションにおいて、前記遠位側拡大可能部材の径方向外側に配置される、請求項３９に記載の血液ポンプ。
【請求項４１】
前記近位側拡大可能部材が径方向内向きにおよび遠位方向にテーパ状になっている遠位側セクションを有し、前記遠位側拡大可能部材が径方向内向きおよび近位方向にテーパ状になっている近位側セクションを有し、前記導管が、前記遠位側セクション内の第１のロケーションのところで前記近位側拡大可能部材の径方向外側にのみ配置され得、前記第１のロケーションのところでは前記近位側拡大可能部材に直接には結合されず、前記導管が、前記近位側セクション内の第２のロケーションのところで前記遠位側拡大可能部材の径方向外側にのみ配置され、前記第２のロケーションのところでは前記遠位側拡大可能部材に直接には結合されない、請求項３９に記載の血液ポンプ。
【請求項４２】
前記遠位側羽根車の遠位端が、前記拡大構成において、前記導管の遠位端よりさらに遠位側に延在しない、請求項１９に記載の血液ポンプ。
【請求項４３】
前記近位側羽根車の近位端が、前記拡大構成において、前記導管の近位端よりさらに近位側に延在しない、請求項１９に記載の血液ポンプ。
【請求項４４】
前記導管が可撓性である、請求項１９に記載の血液ポンプ。
【請求項４５】
前記近位側羽根車が、前記配備構成において、前記導管の近位端よりさらに近位側に延在する、請求項１９に記載の血液ポンプ。
【請求項４６】
前記遠位側羽根車が、前記配備構成において、前記導管の遠位端よりさらに遠位側に延在する、請求項１９に記載の血液ポンプ。
【請求項４７】
前記配備構成において、前記導管の第１の部分が前記近位側拡大可能部材の径方向外側にのみ配置され、前記導管の前記第１の部分の近位側にある前記導管の第２の部分が前記近位側拡大可能部材の径方向内側に配置される、請求項１９に記載の血液ポンプ。
【請求項４８】
前記導管の前記第１の部分が前記近位側羽根車の遠位端の遠位側にある、請求項４７に記載の血液ポンプ。
【請求項４９】
前記導管の第１の部分が前記遠位側拡大可能部材の径方向外側にのみ配置され、前記導管の前記第１の部分の遠位側にある前記導管の第２の部分が前記遠位側拡大可能部材の径方向内側に配置される、請求項１９に記載の血液ポンプ。
【請求項５０】
前記導管の前記第１の部分が前記遠位側羽根車の近位端の近位側にある、請求項４９に記載の血液ポンプ。
【請求項５１】
大動脈弁に跨るように血管内血液ポンプを配備する方法であって、前記方法が：
前記血管内血液ポンプを心臓弁の一領域まで前進させるステップであって、前記血管内血液ポンプが、遠位側拡大可能部材、遠位側羽根車、近位側拡大可能部材、近位側羽根車、および導管を備える、ステップと；
前記遠位側拡大可能部材および前記遠位側羽根車の各々を折り畳み状態の送達構成から配備構成へと配備するステップであって、前記遠位側羽根車が、その配備構成において、前記遠位側拡大可能部材内で軸方向にかつ径方向に配置される、ステップと；
前記近位側拡大可能部材および前記近位側羽根車の各々を折り畳み状態の送達構成から配備構成へと配備するステップであって、前記近位側羽根車が、その配備構成において、前記近位側拡大可能部材内で軸方向にかつ径方向に配置され、前記遠位側拡大可能部材および前記近位側拡大可能部材がその配備構成にある場合に軸方向において離隔され、その結果、前記遠位側拡大可能部材の近位端が前記近位側拡大可能部材の遠位端の遠位側にある、ステップと；
前記遠位側拡大可能部材の遠位端を大動脈弁小葉の遠位側に存在させるように前記遠位側拡大可能部材の少なくとも一部分を左心室内に配置するステップと；
前記近位側拡大可能部材の近位端を大動脈弁小葉の近位側に存在させるように前記近位側拡大可能部材の少なくとも一部分を上行大動脈に配置するステップと；
前記配備された遠位側拡大可能部材と前記配備された近位側拡大可能部材との間で軸方向に存在する前記導管の中央領域を大動脈弁との接合領域のところに配置するステップであって、その結果、前記中央領域が大動脈弁小葉と連携するかたちで接触するように配置される、ステップと；
前記遠位側拡大可能部材、前記近位側拡大可能部材、および前記導管の前記中央領域を、それらのそれぞれの位置で同時に維持するステップと；
前記遠位側羽根車および前記近位側羽根車を回転させて左心室から上行大動脈の方へ流体を移動させるために、前記遠位側羽根車および前記近位側羽根車を作動させるステップと
を含む
方法。
【請求項５２】
前記遠位側拡大可能部材の少なくとも一部分を左心室内に配置するステップが、前記遠位側拡大可能部材の全体を大動脈弁小葉の遠位側に配置するステップを含む、請求項５１に記載の方法。
【請求項５３】
前記近位側拡大可能部材の少なくとも一部分を上行大動脈内に配置するステップが、前記近位側拡大可能部材の全体を大動脈弁小葉の近位側に配置するステップを含む、請求項５１に記載の方法。
【請求項５４】
配備するステップが、前記遠位側拡大可能部材および前記近位側拡大可能部材を自己拡大させるのを可能にするステップを含む、請求項５１に記載の方法。
【発明の詳細な説明】
【技術分野】
【０００１】
関連出願の相互参照
[0001]本出願は、参照により本明細書に組み込まれる以下の米国仮特許出願：２０１７年６月７日に出願された米国仮特許出願第６２／５１６，２９６号、および２０１７年８月８日に出願された米国仮特許出願第６２／５４２，４８８号、の優先権を主張するものである。
参照による組み込み
[0002]本明細書で言及されるすべての刊行物および特許出願は、各々の個別の刊行物または特許出願が参照により組み込まれることを具体的にかつ個別に示されるような場合と同様の程度で、参照により本明細書に組み込まれる。
【背景技術】
【０００２】
[0003]心臓病を有する患者は心臓および脈管構造を通って流れる血流を運ぶ能力を大幅に低下させている可能性があり、それにより例えば、バルーン血管形成術およびステント送達などの矯正手技中に有意なリスクを呈する可能性がある。特には矯正手技中においてこれらの患者の心臓流出路の容積または安定性を改善するための手法に対する需要が存在する。
【０００３】
[0004]大動脈内バルーンポンプ（ＩＡＢＰ：Ｉｎｔｒａ−ａｏｒｔｉｃ  ｂａｌｌｏｏｎ  ｐｕｍｐ）が、心不全患者を治療するなど、循環機能を支援するのに通常使用される。ＩＡＢＰを使用することは、高リスク経皮的冠動脈インターベンション（ＨＲＰＣＩ：ｈｉｇｈ−ｒｉｓｋ  ｐｅｒｃｕｔａｎｅｏｕｓ  ｃｏｒｏｎａｒｙ  ｉｎｔｅｒｖｅｎｔｉｏｎ）中に患者を支援すること、心臓性ショックの後で患者の血流を安定させること、急性心筋梗塞（ＡＭＩ：ａｃｕｔｅ  ｍｙｏｃａｒｄｉａｌ  ｉｎｆａｒｃｔｉｏｎ）を患っている患者を治療すること、または非代償性心不全を治療することなどの、心不全患者の治療において一般的なものである。このような循環支援は単独でまたは薬理学的治療と共に利用され得る。
【０００４】
[0005]ＩＡＢＰは、通常、大動脈内に配置されて心収縮に対して逆拍動のかたちで膨張および収縮させられることにより、機能し、それにより循環系に対して追加の支援を行う。
【０００５】
[0006]より最近では、心臓系に接続されるかたちで身体内に挿入され得る最小侵襲的回転血液ポンプが開発されており、患者の心臓の左側の生来の血液圧送能力を向上させることを目的として左心室から大動脈の中に動脈血を圧送することなどを行う。別の知られている方法として、患者の心臓の右側の生来の血液圧送能力を向上させることを目的として右心室から肺動脈まで静脈血を圧送するということもある。全体的な目的は、心臓に追加的なストレスを与える可能性がある医療手技中などにおいて、患者の心臓筋の仕事量を低減して患者を安定させること、心臓移植の前に患者を安定させること、または患者を継続的に支援すること、である。
【０００６】
[0007]現在利用可能な最小の回転血液ポンプは、外科的介入を必要としないようにするためにアクセスシースを通して、または血管アクセスグラフトを通して、患者の脈管構造の中に経皮的に挿入され得る。この種類のデバイスの呼称は、経皮的に挿入される心室補助デバイス（ｐＶＡＤ：ｐｅｒｃｕｔａｎｅｏｕｓｌｙ−ｉｎｓｅｒｔｅｄ  ｖｅｎｔｒｉｃｕｌａｒ  ａｓｓｉｓｔ  ｄｅｖｉｃｅ）である。
【０００７】
[0008]ｐＶＡＤおよび低下した心臓血流を治療するための同様の血液ポンプの分野において追加的な改善を実現することが必要とされている。心拍出量を向上させるかまたはそれに取って代わるように設計されている現在のｐＶＡＤは、患者の血管の中に挿入されるには望ましくないくらいに大きすぎる可能性があるか（例えば、大型の大腿動脈アクセスシースを必要とするか、または手技後に合併症を起こす確率を上げるような静脈切開を必要とする）、不十分な血流しか提供しない可能性があるか、あるいは不利な結果およびいくつかの事例では死につながり得るような有意な程度の溶血現象によるダメージ（ｈｅｍｏｌｙｓｉｓ  ｄａｍａｇｅ）を血球に与える可能性がある。
【０００８】
[0009]挿入プロフィールを最小にしてそれにより血管アクセスに付随する処置合併症を最小にすることと、デバイスによって作られるかまたは補助される血液の流れを最大にすることと、血液の溶血現象および血栓症を最小にすることと、製品の使用中に医者またはそのスタッフがやり遂げる必要のある手技ステップを容易なものとすることと、を目的として、ｐＶＡＤまたは同様のデバイスを改善する必要がある。
【０００９】
[0010]１つの態様においては、８ＦＲまたは９ＦＲなど、任意選択で１２ＦＲ以下であるようなアクセスシースを通して挿入され得、さらに、例えば約８．０ｋＰａ（６０ｍｍＨｇ）のヘッド圧で４．０Ｌ／分から５．０Ｌ／分など３．５Ｌ／分から６．０Ｌ／分の範囲内にある血流を圧送することができるより小型の送達プロフィールのデバイスの必要性が存在する。回転ポンプの羽根車の速度が上がると溶血現象のリスクが上がることが知られていることを理由として、１つの態様としては、一部のｐＶＡＤポンプ（ｐＶＡＤ  ｐｕｍｐ）が採用する５０，０００ｒｍｐの速度を大きく下回る回転速度で十分な流量を提供することができるポンプの必要性が存在する。このような要求、および既存の手法における他の問題が、本明細書の開示によって対処される。
【発明の概要】
【課題を解決するための手段】
【００１０】
[0011]本開示は、使用時に血液などの流体を移動させるように適合される医療デバイスに関連する。
[0012]本開示の一態様は血管内血液ポンプであり、この血管内血液ポンプが、折り畳まれた状態の送達構成および拡大した状態の配備構成を有する拡大可能部材であって、拡大可能部材が近位端および遠位端を有する、拡大可能部材と；拡大可能部材内に径方向にかつ軸方向に配置される羽根車と；拡大可能部材に結合される導管であって、導管が導管の遠位端と導管の近位端との間に血流ルーメンを少なくとも部分的に画定する、導管と、を有し、導管が拡大可能部材の遠位側セクションにおいては拡大可能部材の径方向内側にのみ配置される。
【００１１】
[0013]拡大可能部材の近位側セクションおよび遠位側セクションの各々が、軸方向において近位側セクションと遠位側セクションとの間に配置される拡大可能部材の中央領域の最外寸法より大きい最外寸法を有することができる。
【００１２】
[0014]導管の遠位端が外側に張り出す構成を有することができる。導管の近位端が張り出し構成を有さなくてよい。
[0015]血液ポンプが、羽根車に動作可能に接続される駆動ケーブルをさらに備えることができる。
【００１３】
[0016]血液ポンプが、拡大可能部材に結合されて羽根車の遠位側で駆動ケーブルの周りを延在する複数の遠位側センタリングストラットと、拡大可能部材に結合されて羽根車の近位側で駆動ケーブルの周りを延在する複数の近位側センタリングストラットとをさらに有することができる。
【００１４】
[0017]いくつかの例では、導管が、不透過性であるか、半透過性であるか、またはさらには多孔性であってよい。
[0018]拡大可能部材が、複数のアパーチャを画定する複数の細長い要素を備えることができる。
【００１５】
[0019]導管が、導管の近位端から導管の遠位端まで拡大可能部材内に径方向に配置され得る。
[0020]導管が拡大可能部材の径方向内側にのみ配置される場合、導管が、導管と拡大可能部材との間に隙間を有して、径方向において拡大可能部材から離隔され得る。
【００１６】
[0021]さらに、導管が拡大可能部材の近位側領域において拡大可能部材の径方向外側に配置され得る。
[0022]本開示の一態様が、配備構成を有する作用部分を備える血管内流体ポンプである。作用部分が、折り畳まれた状態の送達構成および配備構成を有する遠位側拡大可能部材であって、遠位側拡大可能部材が近位端および遠位端を有する、遠位側拡大可能部材と；遠位側拡大可能部材内に径方向に配置される遠位側羽根車と；折り畳まれた状態の送達構成および配備構成を有する近位側拡大可能部材であって、近位側拡大可能部材が近位端および遠位端を有し、近位側拡大可能部材の遠位端が遠位側拡大可能部材の近位端から軸方向において離隔される、近位側拡大可能部材と；近位側拡大可能部材内に径方向に配置される近位側羽根車であって、近位側羽根車が遠位側羽根車から近位側に離隔される、近位側羽根車と；遠位側拡大可能部材の近位端と近位側拡大可能部材の遠位端との間を軸方向に延在する導管であって、導管が導管の遠位端と導管の近位端との間に血流ルーメンを少なくとも部分的に画定し、導管の中央領域が一定の軸方向距離だけ延びており、遠位側拡大可能部材および近位側拡大可能部材が軸方向において中央領域の中まで延在せず、遠位側拡大可能部材の遠位端が導管の遠位端よりも遠位側にさらに延在し、近位側拡大可能部材の近位端が導管の近位端より近位側にさらに延在する、導管と；作用部分から近位側に延在する細長い部分と、を有する。
【００１７】
[0023]導管が遠位側拡大可能部材および近位側拡大可能部材に結合され得る。
[0024]作用部分が拡大可能部材に結合される中央管状要素をさらに有することができ、中央管状要素がルーメン内に配置され、近位側拡大可能部材と遠位側拡大可能部材との間に配置される。近位側拡大可能部材の遠位端が中央管状要素の近位端に結合され得、遠位側拡大可能部材の近位端が中央管状要素の遠位端に結合され得、中央管状要素が近位側拡大可能部材と遠位側拡大可能部材との間を延在してよい。中央管状要素が、折り畳み構成および配備構成の両方において等しい最外寸法を有することができる。
【００１８】
[0025]近位側羽根車および遠位側羽根車が、近位側羽根車および遠位側羽根車に結合され得る共通の駆動ケーブルなどの共通の駆動機構により任意選択で駆動され得る。共通の駆動機構が、ガイドワイヤールーメンとして任意選択で使用され得るルーメンを画定することができる。
【００１９】
[0026]共通の駆動ケーブルが、第２のセクションを第１のセクションに隣接させて第２のセクションに結合される第１のセクションを有することができ、第１のセクションおよび第２のセクションが、共通の長手方向軸と、共通の長手方向軸を基準として直角に測定される共通の外側寸法とを有し、第１のセクションが第２のセクションより高い剛性を有し、遠位側羽根車または近位側羽根車のいずれかが第１のセクションに結合される。第１のセクションが第１の管状部材を有することができ、第２のセクションが巻き部材を有することができる。駆動ケーブルが第２のセクションに隣接する第３のセクションをさらに有することができ、第３のセクションが遠位側羽根車および近位側羽根車のもう一方に結合される。
【００２０】
[0027]近位側羽根車および遠位側羽根車が共通のモータに動作可能に接続され得る。
[0028]遠位側拡大可能部材が遠位側軸受および近位側軸受に結合され得、駆動機構が遠位側軸受および近位側軸受を通って延在する。
【００２１】
[0029]近位側拡大可能部材が遠位側軸受および近位側軸受に結合され得、駆動機構が遠位側軸受および近位側軸受を通って延在する。
[0030]遠位側拡大可能部材が、複数のアパーチャを画定するように互いを基準として配置される複数の細長いセグメントを備えることができ、少なくとも複数のアパーチャのうちの１つのアパーチャの一部分が導管の遠位端の遠位側にあり、それによりルーメンの中に血液が入るのを可能にするための少なくとも１つの血液入口アパーチャを画定する。近位側拡大可能部材が、第２の複数のアパーチャを画定するように互いを基準として配置される複数の細長いセグメントを備えることができ、少なくとも第２の複数のアパーチャのうちの１つのアパーチャの一部分が導管の近位端の近位側にあり、それによりルーメンから血液が出るのを可能にするための少なくとも１つの出口アパーチャを画定する。
【００２２】
[0031]遠位側拡大可能部材および近位側拡大可能部材の少なくとも一方が、網状である複数の細長いセグメントを有する。
[0032]導管が、任意選択で不透過性であってよく、任意選択で半透過性であってよく、任意選択で多孔性であってよい。
【００２３】
[0033]導管が、軸方向において遠位側拡大可能部材と近位側拡大可能部材との間にある中央領域内において、作用部分に加えられる径方向内向きの力に反応して拡大可能部材よりも容易に径方向内側に変形するように材料が適合されるような、材料で作られ得る。
【００２４】
[0034]導管が、最大径寸法が近位側拡大可能部材の長手方向軸を基準として直角に測定されるようなかたちで近位側拡大可能部材に沿うロケーションにおいて近位側拡大可能部材に結合され、導管が、最大径寸法が遠位側拡大可能部材の長手方向軸を基準として直角に測定されるようなかたちで遠位側拡大可能部材に沿うロケーションにおいて遠位側拡大可能部材に結合され得る。
【００２５】
[0035]導管が、近位側拡大可能部材に結合されるロケーションにおいて、近位側拡大可能部材内に径方向に配置され得、導管が、遠位側拡大可能部材に結合されるロケーションにおいて、遠位側拡大可能部材内に径方向に配置され得る。導管が、近位側拡大可能部材に結合されるロケーションにおいて、近位側拡大可能部材の径方向外側に配置されてもよく、導管が、遠位側拡大可能部材に結合されるロケーションにおいて、遠位側拡大可能部材の径方向外側に配置されてもよい。近位側拡大可能部材が径方向内向きにおよび遠位方向にテーパ状になっている遠位側セクションを有することができ、遠位側拡大可能部材が径方向内向きおよび近位方向にテーパ状になっている近位側セクションを有することができ、導管が、遠位側セクション内の第１のロケーションのところで近位側拡大可能部材の径方向外側にのみ配置され得、第１のロケーションのところでは近位側拡大可能部材に直接には結合されず、導管が、近位側セクション内の第２のロケーションのところで遠位側拡大可能部材の径方向外側にのみ配置され得、第２のロケーションのところでは遠位側拡大可能部材に直接には結合されない。
【００２６】
[0036]遠位側羽根車の遠位端が、拡大構成において、導管の遠位端よりさらに遠位側に延在しなくてよい。
[0037]近位側羽根車の近位端が、拡大構成において、導管の近位端よりさらに近位側に延在しなくてよい。
【００２７】
[0038]導管が可撓性であってよく、任意選択で適合性を有してよい。
[0039]近位側羽根車が、配備構成において、導管の近位端よりさらに近位側に延在してよい。
【００２８】
[0040]遠位側羽根車が、配備構成において、導管の遠位端よりさらに遠位側に延在してよい。
[0041]導管の第１の部分が近位側拡大可能部材の径方向外側にのみ配置され得、導管の第１の部分の近位側にある導管の第２の部分が近位側拡大可能部材の径方向内側に配置され得る。導管の第１の部分が近位側羽根車の遠位端の遠位側にあってよい。
【００２９】
[0042]導管の第１の部分が遠位側拡大可能部材の径方向外側にのみ配置され得、導管の第１の部分の遠位側にある導管の第２の部分が遠位側拡大可能部材の径方向内側に配置され得る。導管の第１の部分が遠位側羽根車の近位端の近位側にあってよい。
【００３０】
[0043]本開示の一態様が、大動脈弁などの弁に跨るように血管内血液ポンプを配備する方法に関連する。
【図面の簡単な説明】
【００３１】
【図１】[0044]図１Ａは、本明細書の医療デバイスの作用部分のための単に例示である外部プロフィールを示す図である。図１Ｂは、本明細書の医療デバイスの作用部分のための単に例示である外部プロフィールを示す図である。図１Ｃは、本明細書の医療デバイスの作用部分のための単に例示である外部プロフィールを示す図である。図１Ｄは、本明細書の医療デバイスの作用部分のための単に例示である外部プロフィールを示す図である。図１Ｅは、本明細書の医療デバイスの作用部分のための単に例示である外部プロフィールを示す図である。
【図２】[0045]図２Ａは、拡大可能部材および羽根車、ならびに導管、を有する例示の作用部分を示す側面図である。 [0046]図２Ｂは、図２Ａの図の一部分を示す拡大図である。
【図３】[0047]図３Ａは、導管の一部分が拡大可能部材内で径方向のみであるような、例示の作用部分を示す側面図である。 [0048]図３Ｂは、羽根車を有する例示の作用部分を示す側面図である。
【図４】[0049]図４Ａは、図３Ｂのデバイスの例示の配置を示す図である。図４Ｂは、図３Ｂのデバイスの例示の配置を示す図である。
【図５】[0050]例示の作用部分を示す側面図である。
【図６】[0051]図６Ａは、例示の作用部分の少なくとも一部分を示す図である。図６Ｂは、例示の作用部分の少なくとも一部分を示す図である。図６Ｃは、例示の作用部分の少なくとも一部分を示す図である。
【図７】[0052]図７Ａは、例示の作用部分の少なくとも一部分を示す図である。図７Ｂは、例示の作用部分の少なくとも一部分を示す図である。図７Ｃは、例示の作用部分の少なくとも一部分を示す図である。図７Ｄは、例示の作用部分の少なくとも一部分を示す図である。図７Ｅは、例示の作用部分の少なくとも一部分を示す図である。
【図８】[0053]図８Ａは、例示の作用部分の少なくとも一部分を示す図である。図８Ｂは、例示の作用部分の少なくとも一部分を示す図である。図８Ｃは、例示の作用部分の少なくとも一部分を示す図である。図８Ｄは、例示の作用部分の少なくとも一部分を示す図である。図８Ｅは、例示の作用部分の少なくとも一部分を示す図である。図８Ｆは、例示の作用部分の少なくとも一部分を示す図である。
【図９】[0054]作用部分を有する例示の医療デバイスの少なくとも一部分を示す図である。
【図１０】[0055]作用部分を有する例示の医療デバイスの少なくとも一部分を示す図である。
【図１１】[0056]作用部分を有する例示の医療デバイスの少なくとも一部分を示す図である。
【図１２】[0057]作用部分を有する例示の医療デバイスの少なくとも一部分を示す図である。
【図１３】[0058]図１３Ａは、作用部分を有する例示の医療デバイスの少なくとも一部分を示す図であり、少なくとも２つの異なる羽根車が異なる速度で回転させられ得る。[0059]図１３Ｂは、作用部分を有する例示の医療デバイスの少なくとも一部分を示す図であり、少なくとも２つの異なる羽根車が異なる速度で回転させられ得る。[0060]図１３Ｃは、異なるピッチを有する少なくとも２つの羽根車を備える作用部分を有する例示の医療デバイスの少なくとも一部分を示す図である。
【図１４】[0061]作用部分を有する例示の医療デバイスの少なくとも一部分を示す図である。
【図１５】[0062]図１５Ａは、使用時の例示の作用部分の例示の外側プロフィールを示す断面図である。図１５Ｂは、使用時の例示の作用部分の例示の外側プロフィールを示す断面図である。図１５Ｃは、使用時の例示の作用部分の例示の外側プロフィールを示す断面図である。図１５Ｄは、使用時の例示の作用部分の例示の外側プロフィールを示す断面図である。
【図１６】[0063]導管と、複数の羽根車と、拡大可能部材とを有する例示の作用部分を示す側面図である。
【図１７】[0064]導管と、複数の羽根車と、複数の拡大可能部材とを有する例示の作用部分を示す側面図である。
【図１８Ａ】[0065]導管と、複数の羽根車と、複数の拡大可能部材とを有する例示の作用部分を示す図である。
【図１８Ｂ】導管と、複数の羽根車と、複数の拡大可能部材とを有する例示の作用部分を示す図である。
【図１８Ｃ】導管と、複数の羽根車と、複数の拡大可能部材とを有する例示の作用部分を示す図である。
【図１８Ｄ】導管と、複数の羽根車と、複数の拡大可能部材とを有する例示の作用部分を示す図である。
【図１９】[0066]導管と、複数の拡大可能部材と、複数の羽根車とを有する作用部分の例示の配置を示す図である。
【図２０】[0067]図２０Ａは、例示の遠位端構成、および作用部分のための構成を示す図である。図２０Ｂは、例示の遠位端構成、および作用部分のための構成を示す図である。図２０Ｃは、例示の遠位端構成、および作用部分のための構成を示す図である。
【図２１】[0068]図２１Ａは、配備された作用部分の例示の位置を示す図である。 [0069]図２１Ｂは、作用部分の例示の遠位側領域を示す図である。図２１Ｃは、作用部分の例示の遠位側領域を示す図である。
【図２２】[0070]図２２Ａは、ブレードが折り畳み構成である状態の、例示の羽根車を示す端面図である。図２２Ｂは、ブレードが拡大構成である状態の、例示の羽根車を示す端面図である。
【図２３】[0071]図２３Ａは、例示の羽根車を示す図である。図２３Ｂは、例示の羽根車を示す図である。図２３Ｃは、例示の羽根車を示す図である。
【図２４】[0072]図２４Ａは、例示の羽根車を示す図である。図２４Ｂは、例示の羽根車を示す図である。
【図２５】[0073]図２５Ａは、折り畳まれた状態の送達構成の例示のマルチルーメンの作用部分を示す図である。図２５Ｂは、拡大構成の例示のマルチルーメンの作用部分を示す図である。
【図２６】[0074]図２６Ａは、配備構成を示している、作用部分のための例示のマルチルーメンのデザインを示す図である。図２６Ｂは、拡大構成を示している、作用部分のための例示のマルチルーメンのデザインを示す図である。
【図２７】[0075]図２７Ａは、少なくとも１つの追加のルーメンを備える作用部分の例示の実施形態を示す図である。図２７Ｂは、少なくとも１つの追加のルーメンを備える作用部分の例示の実施形態を示す図である。図２７Ｃは、少なくとも１つの追加のルーメンを備える作用部分の例示の実施形態を示す図である。
【図２８】[0076]例示の作用部分を示す図である。
【図２９】[0077]作用部分を有する、例示の流体移動医療デバイスを示す図である。
【図３０】[0078]モータおよび駆動ケーブルのための例示の磁気結合部を示す図である。
【図３１】[0079]９０度のギアセットの実施形態を示す図である。
【図３２】[0080]図３２Ａは、概略直線の構成の、ルーメン領域および遠位側先端部を有する例示の作用部分を示す図である。 [0081]図３２Ｂは、作用部分を通って遠位側先端部まで前進させられたガイドワイヤーなどの細長い内部部材を示す図である。上の直線状の先端部が耐久的に多様な構成をとる。
【図３３】[0082]図３３Ａは、例示の作用部分の例示の遠位端を示す図である。図３３Ｂは、例示の作用部分の例示の遠位端を示す図である。図３３Ｃは、例示の作用部分の例示の遠位端を示す図である。図３３Ｄは、例示の作用部分の例示の遠位端を示す図である。図３３Ｅは、例示の作用部分の例示の遠位端を示す図である。
【図３４】[0083]例示の作用部分を示す図である。
【図３５】[0084]羽根車の例示の実施形態を示す図である。
【図３６】[0085]ディスプレイを備える例示のポンプコンソールを示す図である。
【発明を実施するための形態】
【００３２】
[0086]本開示は、医療デバイスと、システムと、使用および製造の方法とに関連する。本明細書の医療デバイスが生理学的脈管内の配置されるように適合される遠位側作用部分を有することができ、遠位側作用部分が、流体に作用する１つまたは複数の構成要素を有する。例えば、本明細書の遠位側作用部分が、回転時に血液などの流体の移動を促進することができる１つまたは複数の回転部材を有することができる。
【００３３】
[0087]システム、デバイス、または使用方法の態様に関連する本明細書の開示のうちの任意の開示が、本明細書の任意適切な他の開示に組み込まれ得る。例えば、デバイスまたは方法の１つの態様のみを説明する図は、本開示の１つの部品またはいずれかの部品の記述において具体的に記載されない場合でも、他の実施形態に含まれ得る。したがって、特に明記しない限り、本開示の異なる部分の組み合わせが本明細書に含まれることを理解されたい。
【００３４】
[0088]図１Ａ〜１Ｅが、大動脈弁などの弁に跨ってつまりそこを横断して延在する医療デバイスの作用部分（後でより詳細に説明される）のための例示の外部プロフィール（つまり、外側構成）を示している。作用部分から近位側に延在する細長い近位側部分の一部分のみが示されている。大動脈弁、上行大動脈、および左心室の相対位置が示されている。図１Ａが、医療デバイスが概略円筒形（つまり、真に円筒形ではないが、当業者がそれを円筒形であるとみなす程度に円筒形に非常に類似する）の拡大構成を有している作用部分１００を有するような、例示の実施形態を示しており、ここでは、最外寸法（長手方向軸ＬＡを基準として直角に測定されるものであり、簡潔さのために図１Ａにのみ示される）を有する中央領域が弁に跨るように延びており、最外寸法が近位方向および遠位方向に向かって小さくなっている。作用部分が、近位端が上行大動脈内に配置される場合に遠位端が左心室内に配置されることになるように、サイズ決定される。
【００３５】
[0089]作用部分が弁のロケーションのところで拡大される場合、作用部分が弁小葉に接触する可能性があり（弁小葉が生来の小葉または代替の心臓弁の一部分のいずれであるかに関わらず）、心臓による圧送（ｈｅａｒｔ  ｐｕｍｐｉｎｇ）中におよび作用部分に対して効果的な弁シールを閉じるのを促進することを目的として作用部分に対して小葉を押圧する場合に弁小葉にダメージを与える可能性がある。したがって、弁小葉に対するダメージを最小にするために、作用部分が弁を横断するかまたは弁に跨って延びているところ（例えば、大動脈）のロケーションにおいて作用部分のプロフィールを最小にするかまたは縮小することが有利である可能性がある。図１Ｂ〜１Ｅが、弁にダメージを与える可能性を低減するために縮小したプロフィール寸法を有する中央領域を有し、弁のロケーションのところに配置され得る例示の作用部分構成を示している。
【００３６】
[0090]図１Ｂが、示されるように概略円筒形の拡大構成を有する例示の作用部分を示しており、この例示の作用部分が、近位側領域が上行大動脈内にあるときに遠位側領域が左心室の中に存在することになるように、サイズ決定される。作用部分の中央領域が弁に跨るように延びている。拡大した外側構成が概略円筒形である。
【００３７】
[0091]図１Ｃが、作用部分の遠位側領域が作用部分の近位側領域より大きい外側寸法まで拡大する拡大構成にある状態の例示の作用部分を示している。外側寸法が弁のロケーションのところで有意に小さくなっており（例えば、少なくとも半分の大きさ）、近位側に延在する。
【００３８】
[0092]図１Ｄが、作用部分の近位側領域（上行大動脈内に配置される）が作用部分の遠位側領域より大きい外側寸法まで拡大する拡大構成にある状態の例示の作用部分を示している。外側寸法が弁のロケーションのところで有意に小さくなっており（例えば、少なくとも半分の大きさ）、遠位側に延在する。
【００３９】
[0093]図１Ｅが、近位側領域および遠位側領域が中央領域より大きい寸法まで拡大するように構成される、拡大構成にある例示の作用部分を示しており、ここでは中央領域が近位側領域と遠位側領域との間に配置される。中央領域が、遠位側領域および遠位側領域のいずれかまたは両方の半分であるかまたはそれらより小さい外側寸法を有してよい。図１Ｅの作用部分は、拡大時に概略ダンベル構成を有するものとしてみなされてよい。
【００４０】
[0094]代替的実施形態では、作用部分が概略一様に折り畳まれる送達プロフィールを有することができ、概略一様に拡大するより大きい拡大プロフィールまで拡大するように構成される。「一様」は本文脈ではばらつきが１０％以下である寸法を意味してよい。
【００４１】
[0095]図２Ａおよび２Ｂが、拡大可能部材内に径方向に配置される羽根車２６を有する例示の流体ポンプ作用部分を示している。図２Ａおよび２Ｂは、体外で拡大される場合の作用部分の構成を示す。拡大可能部材が、遠位側領域２１と、中央領域２２と、近位側領域２３とを有する。遠位側領域２１および近位側領域２３が中央領域２２より大きい外側寸法を有し、拡大部材がダンベル構成を有するものとしてみなされてよい。使用時、中央領域２２、または中央領域２２の少なくとも一部分が弁を跨るように配置され得る。近位側領域２３および遠位側領域２１が、それぞれ、より中央の領域のところのより大きい外側寸法からテーパ状に細くなっているテーパ状の端部領域を有する。羽根車２６が近位側領域２３内で径方向に配置され、羽根車２６の短い一部分が中央領域２２内もわずかに延在してよい。駆動シャフトまたは駆動ケーブルであってよい細長いシャフト２８が羽根車に結合され、作動時に羽根車２６の回転を始動する（例えば、モータにより）。センタリングストラット２９（センタリングストラット２９のうちの４つのセンタリングストラット２９が示される）が羽根車２６の端部のところに配置され、シャフト２８の周りを延在してシャフト２８をセンタリングするように機能する。ストラット２９が拡大可能部材に結合され、シャフト２８の周りを延在してシャフト２８を安定させる。各端部のところの２つのストラット２９がアパーチャを画定し、そのアパーチャを通ってシャフト２９が延在する。シャフト２８をセンタリングすることにより、ストラット２９がさらに拡大可能部材内で羽根車２６をセンタリングし、回転時に羽根車ブレードを拡大可能部材に係合させるのを防止する。
【００４２】
[0096]作用部分２０が、拡大可能部材に結合される導管２５をさらに有する。導管２５が遠位側領域２１内のロケーションから近位側領域２３内のロケーションまで延在し、拡大可能部材の遠位端および近位端までは延在しない。導管が作動し、流入領域と流出端部領域との間でその中に流体ルーメンを作るような材料で構成されて作られる。流入領域に入る流れに「Ｉ」が付されており、流出領域から出る流れに「Ｏ」が付されている。拡大可能部材が、複数のアパーチャを同時に画定する複数の細長い部材を有し、流体が流入領域および流出領域においてこれらの複数のアパーチャを通って流れる。本明細書の導管のうちの任意の導管が透過性であってよい。本明細書の導管のうちの任意の導管が別法として半透過性であってよい。本明細書の導管のうちの任意の導管が多孔性であってもよいが、やはりそこを通る流体ルーメンを画定することになる。いくつかの実施形態では、導管が膜であるか、または比較的薄い他の層状部材である。この実施形態では、導管２５が拡大可能部材の外側部分に結合される。作用部分の遠位端が、作用部分の遠位端が例えば心臓の左心室などの中空の解剖学的構造の内側表面に対して押圧される（つまり、接触する）場合でも十分な血液流入量を可能にする大きく開いている表面エリアを有する。導管２５の近位側領域が羽根車シュラウドとして開き、それにより効率的な軸方向ポンプ流れ（ａｘｉａｌ  ｐｕｍｐ  ｆｌｏｗ）を可能にする。
【００４３】
[0097]他の意味で示されない限り、本明細書の導管のうちの導管が拡大可能部材に固着され得、その結果、導管が固着時に拡大可能部材の内側および／または外側で径方向に存在してあってよい。例えば、導管が拡大可能部材内で径方向に延在してよく、その結果、導管の内側表面が拡大可能部材に固着される場合に拡大可能部材内で径方向に存在する。
【００４４】
[0098]図２Ａが作用部分の実施例であり、ここでは、導管が、拡大可能部材の構成を理由として、さらには拡大可能部材に（軸方向において）沿う導管の延在量に応じて、張り出している遠位側領域および近位側領域を有する。図２Ａはまた、中央領域よりも外側寸法が大きい遠位側領域および近位側領域を備える作用部分の実施例である。
【００４５】
[0099]代替的実施形態では、導管の遠位側領域がトランペットベルのような張り出し構成を有し、それにより入口領域に流体が入るために必要となるワークエネルギー（ｗｏｒｋ  ｅｎｅｒｇｙ）を低減する。
【００４６】
[0100]拡大可能部材が多様な材料でまた多様な手法で構築され得る。例えば、拡大可能部材が網状構成を有してよいか、または拡大可能部材がレーザ加工によって形成され得る。材料がニチノールなどの変形可能なものであってよい。拡大可能部材が自己拡大式であってよいか、少なくとも部分的に能動的に拡大するように適合され得る。
【００４７】
[0101]図２Ａの作用部分が、低プロフィールの送達構成となるように折り畳み可能となるように適合され得る。拡大可能部材および羽根車が、送達構成となるように折り畳まれ得るように適合され得る。導管は、拡大可能部材に結合されることを理由として、拡大可能部材と共に折り畳まれる。図２Ｂが図２Ａの図の一部分を示しており、簡潔さのために誇張される構成要素を示している。
【００４８】
[0102]羽根車が作動されて回転するとき、この回転により流体が流入端部の中に引き入れられ、導管によって画定されるルーメンを通り、流出端部から出る。
[0103]いくつかの実施形態では、拡大可能部材が、送達カテーテル、ガイドカテーテル、またはアクセスシースなどの収容用の管状部材の中から解放されるときに自己拡大するように適合される。いくつかの代替的実施形態では、拡大可能部材が、拡大可能部材の遠位端および近位端のうちの少なくとも一方を互いの方に移動させるようなプルロッドの作動などの、能動的な拡大により拡大するように適合される。
【００４９】
[0104]図３Ａが、図２Ａおよび２Ｂに示される作用部分に類似の例示の作用部分３０を示す。作用部分２０内の構成要素と同じである構成要素には簡潔さのために参照符号が付されないが、これらの構成要素もこの図に組み込まれる。作用部分３０が、遠位側領域３２と、中央領域３４と、近位側領域３３とを有する導管３１を有する。この実施形態は、導管の遠位側領域３２が拡大可能部材内で径方向に存在し、遠位側領域３２の一部分に直接には取り付けられない、という点で、図２Ａの作用部分２０とは異なる。例えば、大動脈を跨ぐように位置する作用部分の場合、拡大可能部材の遠位端の近くにこのように配置されることにより、生来の心駆出の血流（ｃａｒｄｉａｃ  ｅｊｅｃｔｉｏｎ  ｂｌｏｏｄ  ｆｌｏｗ）が導管のさらに遠位側の端部まで（その径方向外側まで）行き渡ることが可能となり、導管に隣接するように配置される大動脈弁を通ることが可能となる。導管３１が拡大可能部材の端部の間において拡大可能部材の外側からその内部へ移行し、この実施形態では導管３１が、縮小した外側寸法を有する拡大可能部材の中央領域の中へ移行する。
【００５０】
[0105]図３Ｂが、図２Ａおよび３Ａに示される作用部分に類似の例示の作用部分を示す。簡潔さのために同様の部分には再び参照符号が付されないが、これらの部分もこの図に組み込まれる。図３Ｂでは、作用部分４０が拡大可能部材内で径方向に延在する導管を有し、この導管が、遠位側領域４１と、中央領域４２と、近位側領域４３とを有する。遠位側領域４１内に、示されるように導管が拡大可能部材内で単に径方向に存在して拡大可能部材に取り付けられないような領域が存在する。例えば、大動脈弁を跨ぐように作用部分を配置するような使用方法では、拡大可能部材の近位端の近くにこのように配置されることにより、より多くの生来の心駆出の血流が、導管によって妨害されることなく導管の遠位端まで（その径方向外側まで）行き渡って導管に隣接する大動脈弁を通って左右の主幹冠動脈に入ることが可能となる。
【００５１】
[0106]本明細書の流体移動デバイス、システム、および方法は、身体内の多様なロケーションで使用され得、身体内の多様なロケーションに配置され得る。本明細書では特定の実施例が提示され得るが、作用部分が本明細書で具体的に説明される身体内の領域とは異なる身体内の領域にも配置され得ることを理解されたい。
【００５２】
[0107]図４Ａおよび４Ｂが、図３Ｂの作用部分４０の例示の作用部分を示す。作用部分４０が配備構成として配備されており、大動脈弁小葉「ＶＬ」を有する大動脈を跨るように延在している。拡大可能部材の遠位側領域２１が左心室「ＬＶ」内に配置され、中央領域２２が弁を跨るように延在し、近位側領域２３が上行大動脈内に配置される。近位側領域２３の遠位端が示されるように小葉にも係合される。近位側領域２３が、流出開口部を上行大動脈内に留めるのを保証するために近位側領域２３が弁を通過するのを防止するような、弁の開口部を基準とした構成およびサイズを有する。さらに、遠位側領域２１が、血液流入ポートを左心室内に留めるのを保証するために遠位側領域２１が大動脈を通過するのを防止するような構成およびサイズを有する（図４Ｂを参照）。見られ得るように、作用部分が、血液流入ポートが左心室内に配置されるときに血液流出ポートを上行大動脈内に位置させるのを保証するような長さを血液流入ポートと血液流出ポートとの間に有する。
【００５３】
[0108]本開示は、複数の羽根車を有する作用部分をさらに含む。
[0109]図５が、第１のモータ２０２に接続される近位側羽根車（ブレード２０１を備える）と、第２のモータ２０２’に接続される遠位側羽根車（ブレード２０を備える）とを有する医療デバイスの例示の作用部分２００を示す。流体ポンプに２つのモータを組み込むことにより、単一のモータの場合と等しい最大径を維持しながら利用可能なトルクを２倍にすることができる。これがデバイスのプロフィールを縮小するのを補助することができる。図５に示されるプッシュ−プルの形の実施形態では、近位側モータ２０２が作用部分（限定しないが、例えば、コイル状の強化ポリマーまたは網状の強化ポリマーなどの細長い強化ボディ２１３を一般に有する）を通して血液を引き込み、対して遠位側モータ２０２’が作用部分を通して血液を押し込む。左心室の補助のために使用される場合、大動脈弁が血液流入ポート２０７と血液流出ポート２０８との間に配置されることになる。細長いボディ２１３が、ボディ２１３の径方向外側部分上にある流入アパーチャ２０７と、ボディ２１３の径方向外側部分上にある流出アパーチャ２０８とを有する。矢印がアパーチャを通って流れる血液の方向を示しており、ここではページの右側が「遠位側」である。
【００５４】
[0110]図６Ａ〜６Ｃが作動部分３０の例示の実施形態を示しており、ここでは、近位側モータ３０２が作用部分（例えば、コイル状の強化ポリマーまたは網状の強化ポリマーなどの強化ボディ３１３を有することができる）を通して血液を引き込み、対して遠位側モータ３０２’が拡大可能な側部ルーメン３１１を介して作用部分を通るように血液を押し込む。近位側モータ３０２が近位側羽根車３０１の回転を制御し、また近位側羽根車３０１の回転を引き起こし、遠位側モータ３０２が遠位側羽根車３０１’の回転を制御し、また遠位側羽根車３０１’の回転を引き起こす。作用部分内のアパーチャ３０７および３０８には参照符号が付される。拡大可能な側部ルーメン３１１は、限定しないが、例えば、拡大可能な概略網状の構造を配備すること、または遠位側羽根車３０１’により生じる圧力の増大により側部ルーメンを単純に膨張させること、などの機械的手法を利用して、拡大され得る。作用部分が、遠位側領域のところに入口アパーチャ３０７をさらに有する。側部ルーメン３１１が、カテーテルの外側部分において非円筒形のプロフィールを形成するようなかたちで、細長いボディ３１３の一方側を拡大するように構成され得るか、または代替の図６Ｃの断面図で示されるように、主要な補強カテーテルのより全体を取り囲むように拡大することもできる。ボディ３１３の中に流入する血液が近位側モータ３０２および羽根車３０１の中への流入を支援するのを可能にするためには、強化ボディの側部に沿うにスペースの少なくとも一部分は露出されたままであるべきである（例えば、入口ポート３０７のうちの１つの入口ポート）。左心室の補助のために使用される場合、大動脈弁が２つのセットの血液流入ポート３０７と血液流出ポート３０８との間に配置され得る。
【００５５】
[0111]図７Ａ〜７Ｅが、複数の羽根車を備える作用部分（４００）の別の例示の実施形態を示している。このプル−プルの形の実施形態では、２つの羽根車の各々が、流れを示す矢印によって示されるように、作用部分のルーメンを通して血液を引き込み、側方流出式の出口ホースを通して血液を押し込む。アパーチャ４０７が流入アパーチャであり、流出アパーチャ４０８が流出アパーチャである。これらの羽根車が血液は運ぶための相対的な真空を引き込むことから、ルーメンは折り畳まれるのを防止するかまたは最小限に抑えるために補強されなければならない。図７Ｂ〜７Ｅが図７Ａに示される断面図をそれぞれ示しており、その断面の下に図７Ｂ〜７Ｅが示される。図７Ａ〜７Ｅの実施形態は、その中でモータおよび羽根車が同軸に位置している主ルーメン４１３を示す。主ルーメン４１３はコイル状に強化されるかまたは網状に強化されていてよく、あるいは他の構造で強化されていてよい。図６Ａ〜６Ｃの副ルーメン３１１と同様に、拡大する、網状、ステント状、またはバスケット状のデザインなどにより、副ルーメン４１１が主ルーメン４１３から外側に拡大する。血液流入路が作用部分の遠位端の近くにある。出口孔４０８の上方にある三日月形状の外側ルーメン４１１を示す図７Ｃの断面図Ｂ−Ｂで見ることができるように、遠位側モータ４０２’および羽根車４０１’が、羽根車４０１’に隣接するかまたは羽根車４０１’の近くにある少なくとも側方孔４０８から血液を外に出すように運ぶ。遠位側モータ４０２および羽根車４０１が、近位側羽根車４０１に隣接するかまたは近位側羽根車４０１の近くにある側方孔４０８から血液を外に出すように運ぶ。
【００５６】
[0112]図８Ａ〜８Ｆが複数の羽根車５００および５０１’を有する作用部分（５００）の別の例示の実施形態を示しており、矢印が流れ方向を示している。このプッシュ−プッシュの形の実施形態では、作用部分５００が、プッシュ−プッシュの形の構成で配置される、二重のモータおよび羽根車を有し、ここでは、各羽根車が作用部分のルーメン（５１１または５１３）を通して血液を押し込み、側方流出式のアパーチャまたは近位端流出式のアパーチャ５０８を通して血液を押し込む。これらの羽根車が血液を運ぶための圧力を生じさせることから、ルーメン５１１および５１３は折り畳まれるのを防止するために必ずしも補強される必要はなく、外側ルーメン５１１が、ポンプによって増大する血圧により流体で膨張され得る。この実施形態は、その中でモータおよび羽根車が同軸に位置している主ルーメン５１３を示す。主ルーメン５１３が、例えば、コイル状に強化されるかまたは網状に強化されていてよく、あるいは他の構造で強化されていてよい。副ルーメン５１１が上記の副ルーメンのうちのいずれかの副ルーメンのように外側に拡大することができるか、またはポンプによって増大する血圧による流体での膨張により外側に拡大することができる。血液流入路が作用部分の遠位端の近くにある。ルーメン５１１および５１３の両方が、側方アパーチャ５０８、開いている網状構造、または同様の出口通路などを通して、作用部分の近位側部分から血液を外に出す。２つの羽根車５０１および５０１’が各端部から外に出るスピンドルを備える単一のモータによって駆動され得るか、または図８Ｆに示されるように、背中合わせとなる方向を向きかつ互いに隣接する２つのモータ５０２および５０２’が、血液の圧送を始動するために利用可能であるトルクを効果的に２倍にする。
【００５７】
[0113]図９が、作用部分（６００）が複数の羽根車を有するような、医療デバイスの例示の実施形態を示している。医療デバイスが、医療デバイスの細長い部分の近位端のところに配置されるリモートモータ６０２を有する。リモートモータ６０２が駆動ケーブル６０３に結合され、駆動ケーブル６０３が羽根車６０１および６０１’に結合される。モータ６０２が羽根車を駆動する。モータを離れたところに位置させることにより、所望される程度でより小さい挿入可能なカテーテルシャフトの中に嵌め込まれる場合よりも大きいモータが使用され得る。カテーテル内にモータを有する本明細書の実施形態のうちの任意の実施形態が、１つまたは複数のリモートモータを有するように修正され得る。作用部分６００が、各々の羽根車のためのまたはいずれかの羽根車のためのカテーテル側方孔６０８、あるいは径方向ではなく軸方向において流れを最大にするのを可能にする端部アパーチャ６０７、などの、多様な流入のための構成および配置ならびに流出のための構成および配置を有することができる。羽根車の間を延在する細長いボディ６０４が、例えば、溶融ポリマー層の間に挟まれるワイヤーコイルにより、または概略網状構造により、構造的に補強され得る。コイル状の補強デザインは、一般に、網状の補強デザインよりも高い柔軟性を有し、高いレベルの柔軟性は、一般に、作用部分を定位置まで誘導することにおいて所望されるものである。この実施形態または本明細書の任意適切な他の実施形態が、カテーテルハンドルまたは結合されるハンドル／ハブの組み合わせを備えるリモートモータを有することもできる。
【００５８】
[0114]図１０が、作用部分（１１００）が複数の羽根車を有するような、医療デバイスの例示の実施形態を示している。作用部分１１００が、モータ１１０２’に結合される遠位側羽根車１１０１’を有する。作用部分１１００が近位側羽根車１１０１をさらに有し、近位側羽根車１１０１がリモートモータ１１０２に結合され、リモートモータ１１０２が駆動ケーブル１１０３を介して動作可能に接続される。遠位側モータ１１０２’が作用部分の遠位端の近くに位置し、羽根車１１０１’を駆動し、羽根車１１０１’が作用部分のルーメンを通して血液を押し込み、一方で近位側リモートモータ１１０２が、作用部分の近位端のより近くに配置されるケーブル駆動式の近位側羽根車１１０１を駆動する。使用時、本明細書の他の作用部分を用いる場合と同様に、作用部分１１００が、概して２つの羽根車の間のロケーションのところでボディ１１１３が弁（例えば、大動脈弁）を横断することになるように、配置され得る。
【００５９】
[0115]図１１が、作用部分（１２００）が複数の羽根車を有するような、医療デバイスの例示の実施形態を示している。作用部分１２００が、近位側羽根車１２０１に結合される直接駆動式の近位側モータ１２０２を有する。外部モータ１２０２’が駆動ケーブル１２０３を介して遠位側羽根車１２０１’に動作可能に接続される。駆動ケーブル１２０３が近位側内部モータ１２０２に沿ってかつ隣接して延在するルーメン内に構成され得、したがって作用部分ルーメンの中まで延在し、ルーメン内で概してセンタリングされるように方向付けられ、その結果、遠位側羽根車１２０１’が作用部分のルーメン内でセンタリングされる。任意選択のセンタリング要素は図示されないが、これは、限定しないが、例えば、作用部分ルーメン内で羽根車１２０１’が安定してセンタリングされるようにするための、作用部分の外壁１２１３と回転駆動ケーブル１２０３を支持する回転軸受要素との間に取り付けられる２対のまたは３組のストラットなどである。使用され得る例示のセンタリングストラットとして、図２Ａおよび２Ｂのストラット２９がある。
【００６０】
[0116]図１２が、作用部分（１３００）が複数の羽根車を有するような、医療デバイスの例示の実施形態を示している。医療デバイスが、それぞれ駆動ケーブル１３０３および１３０３’に動作可能に接続されるリモートモータ１３０２および１３０２’を有する。駆動ケーブル１３０３および１３０３’がそれぞれ近位側羽根車１３０１および遠位側羽根車１３０１’に動作可能に接続され、近位側羽根車１３０１および遠位側羽根車１３０１’の両方が作用部分１３００内に配置される。駆動ケーブル１３０３および１３０３’が近位側領域１３１０に隣り合うように配置され、駆動ケーブル１３０３’が一定の距離にわたって作用部分の周縁部に沿って延在し、したがってルーメンの中央に向かって延在する。図１１を参照して説明したようなセンタリング要素も含まれ得る。駆動ケーブルは近位側領域１３１０内の別個のルーメン内にあってよい。駆動ケーブル１３０３’が外部ルーメン内にあってよいかまたは１つまたは複数の軸受要素の中にあってよく、駆動ケーブル１３０３’が作用部分の周縁部１３１６に沿って延在する。
【００６１】
[0117]医療デバイス（１３３０）が複数の羽根車を有するような本明細書の実施形態のうちの任意の実施形態で、デバイスが羽根車を多様な速度で回転させるように適合され得る。図１３Ａが、内側駆動部材１３３８および外側駆動部材１３３６の両方に結合されるギアセット１３４０を有する医療デバイスを示しており、内側駆動部材１３３８および外側駆動部材１３３６がそれぞれ遠位側羽根車１３３４および近位側羽根車１３３２に動作可能に接続される。デバイスが、内側駆動部材１３３８の回転を始動するモータ１３４２をさらに有する。内側駆動部材１３３８が外側駆動部材１３３６を通って延在する。モータ１３３２が作動することにより、減速比（ｕｎｄｅｒｄｒｉｖｅ  ｒａｔｉｏ）および加速比（ｏｖｅｒｄｒｉｖｅ  ｒａｔｉｏ）を理由として２つの羽根車が多様な速度で回転するころになる。ギアセット１３４０が、近位側羽根車または遠位側羽根車のいずれかをもう一方より迅速に駆動するように適合され得る。本明細書のデバイスのうちの任意のデバイスが、羽根車を多様な速度で駆動するための本明細書のギアセットのうちの任意のギアセットを有することができる。
【００６２】
[0118]図１３Ｂが、異なる羽根車を異なる速度で回転させるようにやはり適合される二重羽根車デバイス（１３５０）の代替的実施形態の一部分を示している。ギアセット１３５６が内側駆動部材１３５１および外側駆動部材１３５３の両方に結合され、内側駆動部材１３５１および外側駆動部材１３５３がそれぞれ遠位側羽根車１３５２および近位側羽根車１３５４に結合される。デバイスが図１３Ａのようなモータをさらに有する。図１３Ａおよび１３Ｂは、ギアセットが近位側羽根車を遠位側羽根車より低速でまたは高速で駆動するように如何にして適合され得るかを示す。
【００６３】
[0119]代替的実施形態では、共通の駆動ケーブルまたは駆動シャフトが２つの（または、それより多くの）羽根車の回転を始動することができるが、２つの羽根車のブレードピッチ（または、旋回方向の湾曲角度（ａｎｇｌｅ  ｏｆ  ｒｏｔａｔｉｏｎａｌ  ｃｕｒｖａｔｕｒｅ））は異なっていてよく、遠位側羽根車または近位側羽根車がもう一方の羽根車より急傾斜の角度または緩やかな角度を有する。これにより、ギアセットを有する場合と同様の効果を生み出すことができる。図１３Ｃが、近位側羽根車１３６４および遠位側羽根車１３６２に結合されさらに図示されない結合される共通の駆動ケーブル１３６６を有する医療デバイス（１３６０）の一部分を示す。本明細書の近位側羽根車が、本明細書の遠位側羽根車より高いピッチまたは低いピッチを有することができる。複数の羽根車を備える本明細書の作用部分のうちの任意の作用部分が、異なるピッチを有する第１および第２の羽根車を有するように修正され得る。
【００６４】
[0120]図１４が、第１および第２の羽根車を異なる速度で回転させることができる流体ポンプ１３７０の例示の代替的実施形態を示す。第１のモータ１３８２が遠位側羽根車１３７２に結合されるケーブル１３７６を駆動し、対して第２のモータ１３８４が近位側羽根車１３７４に結合される外側駆動部材１３７８を駆動する（ギアセット１３８０を介する）。駆動ケーブル１３７６が外側駆動部材１３７８を通って延在する。モータが個別に制御され得、動作させられ得、したがって２つ羽根車の速度が別個に制御され得る。このシステムのセットアップが、複数の羽根車を有する本明細書の任意のシステムと共に使用され得る。
【００６５】
[0121]使用時、本明細書の作用部分が弁（例えば、大動脈弁）などのダメージを受けやすい構造に跨るように配置され得る。弁に対してダメージを与えるのを回避することが有用である可能性があり、作用部分がこれを行うように適合および構築され得る。大動脈（または、例えば他の同様の弁）が中心部の近くで３つの弁が接触するかたちで一般には閉じることから、作用部分が弁を横断するかまたはその弁に跨って延びているところのロケーションで、本明細書の作用部分のうちの任意の作用部分の外側部分が非円形構成を有することが有利である可能性がある。大動脈に理想的に適合するためには、非円形のカテーテルボディを回転可能に位置合わせすることは望ましくない可能性がある。図１５Ａ、１５Ｂ、および１５Ｃが、本明細書の任意の作用部分に組み込まれ得るような、本明細書の作用部分のための例示の外側プロフィール構成を示す。図１５Ｄが、比較のために円形の外側プロフィール構成を示す。
【００６６】
[0122]いくつかの実施形態では、作用部分が、弁を横断するところの領域内に適合性のまたは半適合性の外部構造を有することができ、その結果、作用部分を押圧する弁の力が外部構造を少なくとも部分的に変形させることになり、それにより、外部構造により弁に加えられる反力（ｒｅａｃｔｉｏｎａｒｙ  ｆｏｒｃｅ）を少なくとも部分的に低減する。これにより、作用部分が弁を横断するところのロケーションにおいて弁に対してダメージを与えるのを防止するのを補助することができる。
【００６７】
[0123]また、弁小葉などの脆弱な構造のいかなる摩擦もその構造に対して最小限にしかダメージを与えないようにするために、作用部分のうちの任意の作用部分の外側部分を滑らかにすることが有利である可能性がある。弁のこの領域のところにステント状の構造または同様の構造があると、弁に対してダメージを与える可能性があるような突出スポット（尖っていないチーズおろし器のような）を生じさせる可能性がある。このような突起部の高さを最小にすることおよび／またはこれらの突起部の間の距離を最小にすることが有益である可能性があり、ダメージを受けやすい解剖学的構造にダメージを与えるのを防止することができる可能性がある。
【００６８】
[0124]図１６は作用部分１６００を有する例示の血管内流体ポンプの遠位側部分を示す側面図であり、ここでは、作用部分１６００が近位側羽根車１６０６および遠位側羽根車１６１６を有し、近位側羽根車１６０６および遠位側羽根車１６１６の両方が駆動ケーブル１６１２に動作可能に接続される。図１６では作用部分１６００が拡大構成であるが、低プロフィールで送達され得るようにするために、送達構成となるように折り畳まれるように適合される。羽根車が駆動ケーブル１６１２に取り付けられ得る。駆動ケーブル１６１２が図示されない外部モータに動作可能に接続され、細長いシャフト１６１０を通って延在する。
【００６９】
[0125]作用部分１６００が、近位側羽根車１６０６の近位端より近位側に延在する近位端１６２０と、遠位側羽根車１６１６の遠位端より遠位側に延在する遠位端１６０８とをこの実施形態では有する拡大可能部材１６０２をさらに有する。拡大可能部材１６０２が、羽根車の軸方向長さに沿って、羽根車の径方向外側に配置される。拡大可能部材１６０２が、折り畳み可能および拡大可能となるように、医療技術分野で知られている多くの種類の拡大可能構造と同様の手法で構築され得、またそれらと同様の材料から作られ得る。これらの手法または方法の実施例が本明細書で提供される。
【００７０】
[0126]作用部分１６００が拡大可能部材１６０２に結合される導管１６０４をさらに有し、拡大可能部材１６０２が長さＬを有し、羽根車の間を軸方向に延在する。導管１６０４が２つの羽根車の間に流体ルーメンを形成して提供する。使用時、流体が、導管１６０４によって提供されるルーメンを通って移動する。本明細書の導管は不透過性であるか、あるいはルーメンを画定することができる限りにおいては、半透過性であってもよいかまたはさらには多孔性であってもよい。また、特に明記しない限り、本明細書の導管は可撓性である。本明細書の導管が、作用部分の少なくとも一部分の周りを完全に（つまり、３６０度で）延在する。作用部分１６００内で、導管が拡大可能部材１６０２の周りを完全に延在するが、拡大可能部材１６０２の近位端１６０２または遠位端１６０８までは延在しない。拡大可能部材の構造が、流入「Ｉ」を可能にするための少なくとも１つの入口アパーチャと、流出「Ｏ」を可能にするための少なくとも１つの流出アパーチャとを作る。導管１６０４が、導管を有さない場合に作用部分１６００が有することになる動力学と比較して、羽根車の圧送の動力学を改善する。
【００７１】
[0127]拡大可能部材１６０２が多様な構成を有することができ、医療技術分野の任意の種類の拡大可能ステントまたはステント状デバイスなどの、あるいは本明細書で提供される任意の他の実施例などの、多種多様な材料から作られてよい。限定しないが、例えば、拡大可能部材１６０２が、２４個の端部を有する網（２４−ｅｎｄ  ｂｒａｉｄ）などの開いた網状の構成を有してもよい。しかし、より多くのまたは少ない編み込みのワイヤーが使用されてもよい。拡大可能部材のための例示の材料はニチノールであるが、他の材料が使用されもよい。拡大可能部材１６０２が示されるような拡大構成を有し、ここでは、羽根車の間を軸方向に延在する拡大可能部材の中央領域１６２２の最外寸法と比較して、少なくとも、拡大可能部材が羽根車の径方向外側に配置されるところの領域の拡大可能部材の最外寸法（作用部分の長手方向軸を基準として直角に測定される）の方が大きい。駆動ケーブル１６１２がこの実施形態では長手方向軸と同軸である。使用時、中央領域が大動脈弁などの弁を跨るように配置され得る。いくつかの実施形態では、拡大可能部材１６０２が、拡大可能部材内で羽根車が軸方向に存在するところでは１２〜２４Ｆ（４．０〜８．０ｍｍ）の最外寸法まで拡大するように、かつ羽根車の間の中央領域１６２２内で１０〜２０Ｆ（３．３〜６．７ｍｍ）の最外寸法まで拡大するように、適合されて構築される。中央領域の外側寸法が小さいことで、弁に作用する力を低減することができ、それにより弁に対するダメージを低減するかまたは最小にすることができる。羽根車の領域での拡大可能部材の寸法が大きいことで、使用時に作用部分を軸方向において安定させるのを補助することができる。拡大可能部材１６０２が概略ダンベル構成を有する。拡大可能部材１６０２が、羽根車領域から中央領域１６２２へと移行するところでテーパ状となりさらには拡大可能部材１６０２の遠位端および近位端のところでもやはりテーパ状となる外側構成を有する。
【００７２】
[0128]拡大可能部材１６０２がシャフト１６１０に結合される近位端１６２０と、遠位側先端部１６２４に結合される遠位端１６０８とを有する。羽根車および駆動ケーブル１６１２が、拡大可能部材と導管との組立体の中で回転する。駆動ケーブル１６１２が遠位側先端部１６２４を基準として軸方向において安定させられるが、遠位側先端部１６２４を基準として自由に回転することができる。
【００７３】
[0129]いくつかの実施形態では、拡大可能部材１６０２が、拡大可能部材にかかる端から端までの引張張力（ｐｕｌｌｉｎｇ  ｔｅｎｓｉｏｎ）によって折り畳まれ得る。これには、折り畳まれた状態での外側寸法を有するような折り畳み構成となるまで拡大可能部材１６０２を軸方向に伸ばすような線形の動きが含まれてよい（限定しないが、例えば、５〜２０ｍｍだけ移動するなど）。また、拡大可能部材１６０２は、拡大可能部材／導管の組立体の上でシースなどの外側シャフトを押し込んでそれにより折り畳み状態の送達構成となるように拡大可能部材および導管を折り畳むことによっても、折り畳まれ得る。
【００７４】
[0130]羽根車１６０６および１６１６はまた、縮小した最外寸法（作用部分の長手方向軸に対して直角に測定される）となるように１つまたは複数のブレードを伸ばすかまたは径方向に圧縮させるように、適合されて構築される。限定しないが、例えば、本明細書の羽根車のうちの任意の羽根車が、米国特許第７，３９３，１８１号で説明される羽根車のうちの任意の羽根車などのように、ばね特性を有するプラスチック配合物から作られる１つまたは複数のブレードを有することができる。米国特許第７，３９３，１８１号の開示が参照により本明細書に組み込まれ、また本開示により別の意味で示されない限りにおいて本明細書の実施形態に組み込まれ得る。別法として、例えば、１つまたは複数の折り畳み可能な羽根車が、その開示が参照により本明細書に組み込まれる米国特許第６，５３３，７１６号で説明されるようなワイヤーフレームなどの、ワイヤーフレームに交差するウェビングとして機能するポリマーまたは他の材料を有する超弾性ワイヤーフレームを備えることができる。
【００７５】
[0131]作用部分１６００の流入構成および／または流出構成は大部分が本質的に軸方向であってよい。
[0132]医療デバイスを折り畳んだり拡大したりするための、例示の、被覆物の中に収容する（ｓｈｅａｔｈｉｎｇ）および被覆物から出す（ｕｎｓｈｅａｔｈｉｎｇ）手法および概念は、例えば、その開示が参照により本明細書に組み込まれる米国特許第７，８４１，９７６号または米国特許第８，０５２，７４９号で説明されて示される手法および概念などから、知られている。
【００７６】
[0133]図１７は、流体移動システムの例示の実施形態の遠位側部分の配備構成（体外）を示す側面図である。例示のシステム１１００が、作用部分１１０４と、作用部分１１０４から延在する細長い部分１１０６とを有する。細長い部分１１０６が、簡潔さのための図示されないシステムのさらに近位側の領域まで延在してよく、このさらに近位側の領域が例えばモータを有することができる。作用部分１１０４が、作用部分１１０４の長手方向軸ＬＡに沿って軸方向において離隔される、第１の拡大可能部材１１０８および第２の拡大可能部材１１１０を有する。本文脈の軸方向において離隔されるとは、第１の拡大可能部材の全体が、作用部分１１０４の長手方向軸ＬＡに沿って、第２の拡大可能部材の全体から軸方向において離隔される、ことを意味する。第１の拡大可能部材１１０８の第１の端部１１２２が第２の拡大可能部材１１１０の第１の端部１１２４から軸方向において離隔される。
【００７７】
[0134]第１の拡大可能部材１１０８および第２の拡大可能部材１１１０の各々が、概して、複数のアパーチャ１１３０を画定するように互いを基準として配置される複数の細長いセグメントを有する。第２の拡大可能部材１１１０内の、複数のアパーチャ１１３０のうちの１つのアパーチャのみに参照符号が付される。拡大可能部材が多種多様な構成を有することができ、多種多様な手法で構築され得、これは、限定しないが、例えば、米国特許第７，８４１，９７６号の構成または構築のうちの任意の構成または構築などであるか、または自己拡大する金属の内部人工装具材料として説明される、米国特許第６，５３３，７１６号のチューブなどである。限定しないが、例えば、拡大可能部材の一方または両方が網状構成を有することができるか、または管状要素をレーザ切断することにより少なくとも部分的に形成され得る。
【００７８】
[0135]作用部分１１０４が、第１の拡大可能部材１１０８および第２の拡大可能部材１１１０に結合されて配備構成において軸方向において第１の拡大可能部材１１０８と第２の拡大可能部材との間を延在する導管１１１２をさらに有する。導管１１１２の中央領域１１１３が一定の軸方向距離１１３２に跨るように延びており、ここでは作用部分が第１の拡大可能部材１１０８および第２の拡大可能部材１１１０を有さない。中央領域１１１３は軸方向において拡大可能部材の間にあるとみなされてよい。導管１１１２の遠位端１１２６は第２の拡大可能部材１１１０の遠位端１１２５の程度までは遠位側に延在せず、導管の近位端１１２８は第１の拡大可能部材１１０８の近位端１１２１の程度までは近位側に延在しない。
【００７９】
[0136]本明細書の開示が拡大可能部材に結合される導管に言及する場合、本文脈での結合されるという用語は、導管が拡大可能部材に直接に取り付けられてその結果として導管が拡大可能部材に物理的に接触する、ということを必要としない。しかし、直接に取り付けられない場合でも、本文脈での結合されるという用語は、拡大可能部材が拡大するかまたは折り畳まれるときに導管も異なる構成および／またはサイズへと移行し始めることになるように、導管および拡大可能部材が一体に接合される、ことを意味する。したがって、本文脈での結合されるとは、導管を結合している拡大可能部材が拡大構成と折り畳み構成との間で移行する場合に導管が移動することになる、ことを意味する。
【００８０】
[0137]本明細書の導管のうちの任意の導管がある程度まで変形可能であってよい。例えば、導管１１１２が、図１７に示される構成の方へと作用部分１１０４が配備されるときの、例えば使用時の弁組織（例えば、小葉）または代替の弁からの力に反応して、導管の中央領域１１１３を径方向内側（ＬＡに向かう方向）へとある程度で変形させるのを可能にする１つまたは複数の材料で作られてよい細長い部材１１２０を有する。いくつかの実施形態では、導管が拡大可能部材の間で強固に伸ばされ得る。別法として、導管は、適合性を向上させるような緩みを有するように設計されてもよい。これは、大動脈弁などの脆弱な構造に跨って作用部分が配置される場合に所望される可能性があり、それにより弁内の点応力（ｐｏｉｎｔ  ｓｔｒｅｓｓ）を最小にするようなかたちで弁が導管を圧縮するのを可能にすることができる。いくつかの実施形態では、導管が、近位側拡大可能部材および遠位側拡大可能部材に取り付けられる膜を有することができる。本明細書の任意の導管のために使用され得る例示の材料には、限定しないが、ポリウレタンゴム、シリコーンゴム、アクリルゴム、延伸ポリテトラフルオロエチレン、ポリエチレン、ポリエチレンテレフタレートが含まれ、これには、その任意の組み合わせも含まれる。
【００８１】
[0138]本明細書の導管のうちの任意の導管が、例えば、２５．４μｍ（１ｔｈｏｕ）から３８１μｍ（１５ｔｈｏｕ）まで、３８．１μｍ（１．５ｔｈｏｕ）から３８１μｍ（１５ｔｈｏｕ）まで、３８．１μｍ（１．５ｔｈｏｕ）から２５４μｍ（１０ｔｈｏｕ）まで、または５０．８μｍ（２ｔｈｏｕ）から２５４μｍ（１０ｔｈｏｕ）まで、といったように、１２７〜５０８μｍ（５〜２０ｔｈｏｕｓａｎｄｔｈｓ  ｏｆ  ａｎ  ｉｎｃｈ（ｔｈｏｕ））の厚さを有することができる。
【００８２】
[0139]本明細書の導管のうちの任意の導管、または導管の少なくとも一部分が、血液に対して不透過性であってよい。図１７では、作用部分１１０４が、導管１１１２の遠位端１１２６から導管１１１２の近位端１１２８まで延在するルーメンを有する。このルーメンは中央領域１１１３内では導管１１１２によって画定されるが、軸方向において中央領域１１１３に隣接する領域では、導管と、拡大可能部材の一部分と、の両方によって画定されるとみなされてよい。しかし、この実施形態では、ルーメンを存在させるものは導管の材料であり、この導管の材料が血液が導管を通過するのも防止する。
【００８３】
[0140]１つまたは複数の拡大可能部材に固着される本明細書の導管のうちの任意の導管は、別の意味で示されない限りにおいて、１つまたは複数の拡大可能部材の径方向外側にまたは１つまたは複数の拡大可能部材の径方向内側にあるいはその両方に導管が配置されることになるように、固着され得、拡大可能部材が導管材料で充填されてよい。
【００８４】
[0141]近位側拡大可能部材および遠位側拡大可能部材が、ルーメンを作るために導管を開いた構成で維持するのを補助し、一方で後で説明するように各々が羽根車のための作動環境も作る。配備構成時、拡大可能部材の各々が、それぞれの羽根車を基準として離隔される関係で維持され、それにより羽根車が拡大可能部材に接触することなく拡大可能部材内で回転するのを可能にする。作用部分１１０４が第１の羽根車１１１６および第２の羽根車１１１８を有し、第１の羽根車１１１６が第１の拡大可能部材１１０８内で径方向に配置され、第２の羽根車１１１８が第２の拡大可能部材１１１０内で径方向に配置される。この実施形態では、２つの羽根車が、別個の分離される羽根車ではあるが、共通の駆動機能（例えば、駆動ケーブル１１１７）に動作可能に接続され、その結果、駆動機能が作動されるときに２つの羽根車が一体に回転するようになる。この配備構成では、軸方向において拡大可能部材１１０８および１１１０が離隔されるのとちょうど同じように、羽根車１１１６および１１１８が長手方向軸ＬＡに沿って軸方向において離隔される。
【００８５】
[0142]羽根車１１１６および１１１８は、それぞれ、拡大可能部材１１０８および１１１０の端部の中で軸方向にも存在する（拡大可能部材１１０８および１１１０内で径方向に存在することに加えて）。本明細書の羽根車は、拡大可能部材が拡大可能部材の中央領域から作用部分の長手方向軸に向かって延在するストラット（例えば、側面図においてテーパ状であるストラット）を有する場合であっても、拡大可能部材内で軸方向に存在するとみなされてよい。図１７では、第２の拡大可能部材１１１０が第１の端部１１２４（近位端）から第２の端部１１２５（遠位端）まで延在する。
【００８６】
[0143]図１７では、羽根車１１１８の遠位側部分が導管１１１２の遠位端１１２６を越えて遠位側に延在し、羽根車１１１６の近位側部分が導管１１１２の近位側部分１１２８を越えて近位側に延在する。この図では、この配備構成において、各羽根車の一部分がこの導管内で軸方向に存在する。
【００８７】
[0144]図１７に示される例示の実施形態では、羽根車１１１６および１１１８が共通の駆動機能１１１７に動作可能に接続され、この実施形態では、羽根車の各々が駆動機構１１１７に結合され、駆動機構１１１７がシャフト１１１９および作用部分１１０４を通って延在する。駆動機能１１１７が、例えば、回転時に羽根車も回転させるような細長い駆動ケーブルであってよい。この実施例では、示されるように、駆動機構１１１７が遠位側先端部１１１４まで延在して軸方向において遠位側先端部１１１４を基準として固定されるが、駆動機構１１１７は作動時に遠位側先端部１１１４を基準として回転するようにも適合される。したがって、この実施形態では、駆動機構１１１７の回転時に、羽根車および駆動機構１１１７が一体に回転する。駆動機能を回転させるのに、モータ（外部モータ）を用いる機構などの、任意の数の知られている機構が使用されてよい。
【００８８】
[0145]拡大可能部材および導管は、回転動作を可能とするようには羽根車および駆動機構に接続されない。この実施形態では、近位側拡大可能部材１１０８の近位端１１２１がシャフト１１１９に結合され、シャフト１１１９が細長い部分１１０６のシャフト（例えば、外側カテーテルシャフト）であってよい。近位側拡大可能部材１１０８の遠位端１１２２が中央管状部材１１３３に結合され、駆動機構１１１７が中央管状部材１１３３を通って延在する。中央管状部材１１３３が導管１１１２内の近位側拡大可能部材１１０８から遠位側に延在し、さらには遠位側拡大可能部材１１１０の近位端１１２４に結合される。したがって、駆動機構１１１７が中央管状部材１１３３の中で中央管状部材１１３３を基準として回転する。中央管状部材１１３３が近位側拡大可能部材１１０８から遠位側拡大可能部材１１１０まで軸方向に延在する。遠位側拡大可能部材１１１０の遠位端１１２５が示されるように遠位端１１１４に結合される。駆動機構１１１７は先端部１１１４を基準として回転するように適合されるが、軸方向において先端部１１１４に対して固定される。
【００８９】
[0146]作用部分１１０４が、折り畳まれてその配備構成（図１７に示される）よりも小さいプロフィールとなるように適合および構成される。これにより、作用部分１１０４が折り畳み可能ではない場合において必要となるよりも低プロフィールの送達デバイス（より小さいＦｒｅｎｃｈサイズ）を使用して作用部分１１０４を送達することが可能となる。本明細書で具体的に記述されない場合であっても、任意の拡大可能部材および羽根車がより小さい送達構成となるようにある程度まで折り畳み可能となるように適合および構成され得る。
【００９０】
[0147]本明細書の作用部分は、作用部分を基準として移動可能である外側シースを用いる手法などの、従来の手法を使用して折り畳み状態の送達構成となるように折り畳まれ得る（例えば、シースおよび作用部分の一方または両方を軸方向に移動させることによる）。限定しないが、例えば、以下の参考文献で示される任意のシステム、デバイス、または方法が、本明細書の作用部分を折り畳むのを促進するのに使用され得る：その開示が参照により本明細書に組み込まれる米国特許第７８４１，９７６号または米国特許第８，０５２，７４９号。
【００９１】
[0148]図１８Ａ〜１８Ｅが、図１７に示される作用部分にいくつかの点で類似する例示の作用部分を示している。作用部分３４０は、作用部分が拡大されるときに軸方向において互いから離隔される２つの拡大可能部材と、２つの拡大可能部材の間を延在する導管とを有するという点が作用部分１１０４に類似する。図１８Ａが斜視図であり、図１８Ｂが側断面図であり、図１８Ｃおよび１８Ｄが図１８Ｂの図の断面の拡大側断面図である。
【００９２】
[0149]作用部分３４０が近位側羽根車３４１および遠位側羽根車３４２を有し、近位側羽根車３４１および遠位側羽根車３４２が駆動ケーブルに結合されかつ動作可能に接続され、駆動ケーブルがその中にルーメンを画定する。ルーメンが、作用部分を所望のロケーションまで送達するのに使用され得るガイドワイヤーを収容するようにサイズ決定され得る。駆動ケーブルが、この実施形態では、第１のセクション３６２（例えば、巻かれた状態の材料）と、近位側羽根車３４１を結合させるところの第２のセクション３４８（例えば、管状部材）と、第３のセクション３６０（例えば、巻かれた状態の材料）と、遠位側羽根車３４２を結合させるところの第４のセクション３６５（例えば、管状材料）とを有する。これらの駆動ケーブルのセクションのすべてが等しい内径を有し、その結果ルーメンが一定の内径を有することになる。これらの駆動ケーブルのセクションが知られている取り付け手法を使用して互いに固着され得る。第４のセクション３６５の遠位端が作用部分の遠位側領域まで延在し、それにより、作用部分を位置決めするために作用部分を例えばガイドワイヤー上で前進させるのを可能にする。この実施形態では、第２のセクションおよび第４のセクションが第１のセクションおよび第３のセクションより高い剛性を有してよい。例えば、第２のセクションおよび第４のセクションが管状であってよく、第１のセクションおよび第３のセクションが剛性を低減するために巻かれた状態の材料であってよい。
【００９３】
[0150]作用部分３４０が、近位側拡大可能部材３４３と、遠位側拡大可能部材３４４とを有し、近位側拡大可能部材３４３および遠位側拡大可能部材３４４の各々が羽根車のうちの１つの羽根車の径方向外側を延在する。拡大可能部材が、図１８ｂ〜１８Ｄで見ることができるように、羽根車の遠位端および近位端を越えて軸方向に延在してもよい遠位端および近位端を有する。２つの拡大可能部材に対して導管３５６が結合され、導管３５６が近位端３５３および遠位端３５２を有する。２つの拡大可能部材の各々が、複数の近位側ストラットおよび複数の遠位側ストラットを有する。近位側拡大可能部材３４３の中の近位側ストラットがシャフトセクション３４５まで延在してシャフトセクション３４５に固着され、シャフトセクション３４５が軸受３６１に結合され、駆動ケーブルが軸受３６１を通って延在し、回転するように構成およびサイズ決定される。近位側拡大可能部材３４３の遠位側ストラットが中央管状部材３４６の近位側領域（この事例では、近位端）まで延在してこの近位側領域に固着され、中央管状部材３４６が軸方向において拡大可能部材の間に配置される。中央管状部材３４６の近位端が図１８Ｃに示されるように軸受３４９に結合され、駆動ケーブルが軸受３４９を通って延在し、回転する。遠位側拡大可能部材３４４の近位側ストラットが中央管状部材３４６の遠位側領域（この事例では、遠位端）まで延在してこの遠位側領域に固着される。さらに、軸受３５０が図１８Ｄに示されるように中央管状部材３４６の遠位側領域に結合される。駆動ケーブルが軸受３５０を通って延在し、軸受３５０を基準として回転する。遠位側拡大可能部材の遠位側ストラットがシャフトセクション３４７（図１８Ａを参照）まで延在してシャフトセクション３４７に固着され、シャフトセクション３４７が遠位端の一部分とみなされてよい。シャフトセクション３４７が軸受３５１（図１８Ｄを参照）に結合され、駆動ケーブルが軸受３５１を通って延在し、軸受３５１を基準として回転する。遠位側先端部が、スラスト軸受であってよい軸受３６６（図１８Ｄを参照）をさらに有する。本記述に明確に含まれていない場合であっても、作用部分３４０はいくつかの点において作用部分１１０４に類似してよいか等しくてよい。この実施形態では、導管３５６が、作用部分１１０４の場合とは異なり、少なくとも羽根車の端部と同じ程度のところまで延在する。いずれの実施形態も、他の実施形態に記載される位置まで導管を延在させるように、修正され得る。いくつかの実施形態では、セクション３６０が、巻かれた状態の代わりに、管状セクションであってもよい。
【００９４】
[0151]本明細書で特定の例示のロケーションが示され得るが、流体ポンプは身体内の多種多様なロケーションで使用可能となり得る。配置のためのいくつかの例示のロケーションには、弁に跨るように延びていることおよび弁の一方側または両側に配置されることといったような、大動脈弁または肺動脈弁の近傍が含まれ、また大動脈弁の事例では任意選択で、上行大動脈内に位置する一部分が含まれる。いくつかの他の実施形態では、例えば、ポンプが使用時にさらに下流に配置されてもよく、下行大動脈などの中に配置されてもよい。
【００９５】
[0152]図１９が、図１７のシステム１００からの作用部分１１０４の例示の配置を示している。図１９に示される１つの相違点は、導管が図１８Ａ〜１８Ｄの場合のように少なくとも羽根車の端部と同じ程度のところまで延在することである。図１９が、大動脈弁を跨るように定位置に配置される配備構成の作用部分１１０４を示している。作用部分１１０４が、示されるように、限定しないが、例えば、大腿動脈アクセス（知られているアクセス手技）を介して、送達され得る。簡潔さのために示されないが、システム１００が外側シースまたは外側シャフトをさらに有することができ、大動脈弁の近くのロケーションまでの送達中に作用部分１１０４が外側シースまたは外側シャフトの中に配置される。シースまたはシャフトが近位側に移動させられ得（上行大動脈「ＡＡ」の方に向かい、左心室「ＬＶ」から離れる）、それにより作用部分１１０４を配備して拡大するのを可能にする。例えば、シースが第２の拡大可能部材１１１０を拡大するのを可能にするために後退させられ得、継続して近位側に移動することにより第１の拡大可能部材１１０８を拡大させるのを可能にする。
【００９６】
[0153]この実施形態では、第２の拡大可能部材１１１０が拡大して配備構成として配置されており、その結果、遠位端１１２５が左心室「ＬＶ」の中にあり、大動脈弁小葉「ＬＶ」の遠位側にあり、さらには環状部分の遠位側にある。さらに、近位端１１２４が小葉「ＶＬ」の遠位側に配置されている。しかし、いくつかの実施形態では、近位端１１２４が小葉ＶＬ内で軸方向にわずかに延在してもよい。この実施形態は、その長さに沿って測定する（長手方向軸に沿って測定する）場合に第２の拡大可能部材１１１０の少なくとも半分を左心室の中の存在させるような方法の実施例である。さらに、示されるように、これは、第２の拡大可能部材１１１０の全体が左心室の中に存在するような方法の実施例でもある。また、これは、第２の羽根車１１１８の少なくとも半分が左心室の中に配置されるような方法の実施例でもあり、さらには第２の羽根車１１１８の全体が左心室の中に配置されるような実施形態でもある。
【００９７】
[0154]外側シャフトまたは外側シースを継続して引っ込めることにより（および／または、外側シースまたは外側シャフトを基準として作用端部１１０４を遠位側に移動させることにより）、中央領域１１３が解放されて配備されるようになるまで、導管１１１２を解放することが継続される。拡大可能部材１１０８および１１１０が拡大することで、導管１１１２が図１９に示されるようにより開いた構成となる。したがって、この実施形態では導管１１１２が拡大可能部材と等しい自己拡大特性を有さないが、作用端部の配備時に導管がより開いた配備構成をとるようになる。導管１１１２の中央領域１１１３の少なくとも一部分が大動脈弁との接合領域のところに配置される。図１８では、小葉ＶＬを越えて遠位側に延在する短い長さの中央領域１１１３が存在するが、中央領域１１１３の少なくとも一部分が軸方向において小葉の中に存在する。
【００９８】
[0155]外側シャフトまたは外側シースを継続して引っ込めることにより（および／または、外側シースまたは外側シャフトを基準として作用端部１１０４を遠位側に移動させることにより）、第１の拡大可能部材１１０８が配備される。この実施形態では、第１の拡大可能部材１１０８が拡大されて配備構成として配置され（示されるように）、その結果、近位端１１２１が上行大動脈ＡＡ内に存在することになり、小葉「ＬＶ」の近位側にくることになる。さらに、遠位端１１２２が小葉ＶＬの近位側に配置されているが、いくつかの方法では、遠位端１１２２が小葉ＶＬ内で軸方向にわずかに延在してもよい。この実施形態は、その長さに沿って測定する（長手方向軸に沿って測定する）場合に第１の拡大可能部材１１１０の少なくとも半分を上行大動脈内に存在させるような方法の実施例である。さらに、示されるように、これは、第１の拡大可能部材１１１０の全体がＡＡの中に存在するような方法の実施例でもある。また、これは、第１の羽根車１１１６の少なくとも半分がＡＡの中に配置されるような方法の実施例でもあり、さらには第１の羽根車１１１６の全体がＡＡの中に配置されるような実施形態でもある。
【００９９】
[0156]作用部分１１０４を配備する間のまたは作用部分１１０４を配備した後の任意の時間で、作用部分のこの位置が、Ｘ線透視検査下などの任意の手法でアクセスされ得る。作用部分の位置は配備中または配備後の任意の時間で調整され得る。例えば、第２の拡大可能部材１１１０が解放された後であるが第１の拡大可能部材１１０８が解放される前において、作用部分１１０４が軸方向に移動させられ得（遠位側に、または近位側に）、それにより作用部分を再配置する。加えて、例えば、作用部分の全体がシースから解放されて所望の最終位置に達した後で、作用部分が再配置され得る。
【０１００】
[0157]最初の配備の後で再配置が行われる場合であっても、図１９に示される構成要素の位置（解剖学的構造を基準とする）が作用部分１１０４の多様な構成要素のための例示の最終位置としてみなされることを理解されたい。
【０１０１】
[0158]本明細書の１つまたは複数の拡大可能部材が、自己拡大すること、機械的作動を介すること（例えば、拡大可能部材にかかる１つまたは複数の軸方向の力を介すること、拡大可能部材内で径方向に配置されて膨張して拡大可能部材を径方向外側に押し込む別個のバルーンを用いて、拡大されること、など）、またはその組み合わせなどの、多様な手法で、拡大されるように構成され得、そのようなかたちで拡大され得る。
【０１０２】
[0159]本明細書で使用される拡大とは、一般に、１つまたは複数の構成要素が拡大されるときの具体的な手法に関係なく、より大きい径方向の最外寸法（長手方向軸を基準とする）を有するより大きいプロフィールへの再構成を意味するものである。例えば、自己拡大するおよび／または径方向外向きの力を受けるステントが、本明細書でこの用語が使用される場合と同じ意味として、「拡大」することができる。展開するかまたは広がるデバイスがより大きいプロフィールをとることができ、本明細書でこの用語が使用される場合と同じ意味として、拡大するとみなされ得る。
【０１０３】
[0160]羽根車が、同様に、その構成に応じた多様な手法で拡大されるように適合されて構成され得、そのようなかたちで拡大され得る。例えば、１つまたは複数の羽根車が、シースから解放されるとき、この羽根車のデザインの材料および／または構成を理由として、別のより大きいプロフィールの構成まで、またはそのような構成の方へ、自動で戻る（例えば、その両方が参照により本明細書に組み込まれる、米国特許第６，５３３，７１６号または米国特許第７，３９３，１８１号を参照されたい）。したがって、いくつかの実施形態では、外側拘束具を引っ込めることで、他の作動を一切用いずに、拡大可能部材および羽根車の両方をより大きいプロフィールの配備構成へと自然に戻すことが可能となる。
【０１０４】
[0161]図１９の実施例で示されるように、作用部分が、大動脈弁のいずれかの側において離隔される第１および第２の羽根車を有し、第１および第２の羽根車の各々が別個の拡大可能部材内に配置される。これは、作用部分が単一の細長い拡大可能部材を有するようないくつかのデザインとは対照的である。弁の全体に跨って延在する単一の概略管状の拡大可能部材とは異なり、作用部分１１０４が、拡大可能部材１１０８および１１１０の間を延在する導管１１１２を有する。導管が拡大可能バスケットよりも高い可撓性および変形可能性を有し、それにより、拡大可能部材が大動脈弁小葉に跨るように延びている場合に起こるような小葉のロケーションのところでの作用部分のより大きい変形を可能にする。これは、被術者の中に作用部分が配備された後で小葉に与えるダメージを低減することができる。
【０１０５】
[0162]加えて、小葉から単一の拡大可能部材の中央領域にかかる力が拡大可能部材の他の領域まで軸方向に平行移動することができ、それにより可能性として１つまたは複数の羽根車のロケーションのところでの拡大可能部材の所望されない変形を引き起こす。これが外側拡大可能部材を羽根車に接触させる可能性があり、それにより羽根車の回転に望まれずに干渉することになる。各々の羽根車の周りの別個の拡大可能部材を有するデザインにより、また具体的には各拡大可能部材および各羽根車が両端部（すなわち、遠位端および近位端）のところで支持されるようなデザインにより、高いレベルの精度で拡大可能部材を基準として羽根車が配置されることになる。２つの別個の拡大可能部材が、単一の拡大可能部材と比較してより高い信頼性でその配備構成を維持することが可能となり得る。
【０１０６】
[0163]本明細書で上述したように、９Ｆのシースの中に送達され得るようにするために作用部分を再構成すること、ならびに配備および／または試験中に現在の一部の製品を用いる場合では不可能であるような十分な流量を使用時に達成することが可能であることが所望される可能性がある。例えば、一部の製品は十分に小さい送達プロフィールとなるように再構成されるには大きすぎる可能性があり、一方で一部の小型のデザインでは所望の高流量を達成することができない可能性がある。図１６、１７、１８Ａ〜１８Ｄ、および１９の実施例の例示の利点は、例えば、第１および第２の羽根車が所望の流量を達成するために一体に働くことができこと、および、軸方向において離隔される２つの羽根車を有することで、作用部分の全体が、所望の流量を達成するために単一の羽根車を使用するようなデザインよりも小さい送達プロフィールへと再構成され得ること、である。したがって、これらの実施形態は、所望の小さい送達プロフィールさらには所望の高流量の両方を達成するために、軸方向において離隔されるより小さい再構成可能な複数の羽根車を使用するものである。
【０１０７】
[0164]したがって、本明細書の実施形態は、十分に高い流量を維持しながら小さい送達プロフィールを達成することができ、他方で作用部分のより高い変形可能性および可撓性を有する中央領域を作るものである。この実施形態の例示の利益が上に記述されている（例えば、ダメージを受けやすい弁小葉と連携するかたちで接触する）。
【０１０８】
[0165]図２０Ａ、２０Ｂ、および２０Ｃが、例示の遠位端構成と、作用部分のための構成とを示しており、本明細書の作用部分のうちの任意の作用部分に、または当技術分野で知られている他の作用部分に、組み込まれ得る。図２０Ａ〜Ｃが、血流を促進すること、および左心室の尖などの流れを阻害する構造に接触するように先端部が配置される場合に大動脈弁に跨る適切な位置決めを促進すること、を補助することができる例示の遠位端構造部を示す。
【０１０９】
[0166]図２０Ａが、流入アパーチャ１５０８および流出アパーチャ１５１０、ならびに遠位端１５０６を備える遠位端先端部１５０４を備える、例示の作用部分１５０２を示す。先端部１５０４が、左心室の組織などの心臓の組織に対して押圧される場合に折り畳まれるのを防止するのに十分な強度を有するピグテール構成を有することができる。先端部１５０４が、より高い剛性（遠位側先端部の外側の材料より高い剛性）を有する内部ワイヤーをさらに有してもよい。
【０１１０】
[0167]図２０Ｂが、先端部１５１６と、先端部１５１６に近位側で隣接する流入部分１５１４とを有する例示の作用部分１５１２を示す。流入部分１５１４が、左心室の組織などの心臓の組織に対して押圧される場合でも十分な血流を可能にする複数のアパーチャを画定する複数の要素１５１８を有する。流入部分１５１４が、ワイヤーを編むかまたは網状にすることによりあるいは管状部材をレーザ切断することにより作られるステントまたはステント状のデバイスように構成され得る。流入部分１５１４は、例えば、ニチノールなどの自己拡大材料から構成され得る。
【０１１１】
[0168]図２０Ｃが、第１の概略の構成を有する第１の複数の流入開口部１５２６と、第１の概略の構成とは異なる第２の概略の構成を有する第２の複数の流入開口部１５２２とを備える先端部１５２４を有する例示の作用部分１５２０を示す。複数の開口部が、心臓の組織に対して先端部が押圧される場合でも十分な血流を可能にするように構成される。
【０１１２】
[0169]任意の実施形態で、複数の流入開口部またはアパーチャが、接着、溶剤接着、超音波溶接、レーザ溶接により、または同様のプロセスを使用して、作用部分の残りの部分に取り付けられるような先端部片のデザインへと成形され得る。別の孔が、限定しないが、例えば、コアドリリングまたはレーザ加工を使用して、接着先端部の近くに追加され得る。
【０１１３】
[0170]図２１Ａが、配備された作用部分１５２０の例示の位置を示しており、ここでは、作用部分の長さが、示されるように左心室（ＬＶ）の組織に係合されるようになるまで作用部分を前方に付勢することにより大動脈弁を跨る適切な位置決めを達成するような長さである。この位置では、流入入口１５２２および１５２６が左心室内に存在し、流出アパーチャ１５２８が上行大動脈内に配置され、作用部分の中央領域が大動脈弁小葉ＶＬに沿って延在する。
【０１１４】
[0171]図２１Ｂおよび２１Ｃが、２０Ａ〜２０Ｃおよび２１Ａの場合のようなピグテール構成を有さない作用部分の代替の遠位側領域を示す。これらの先端部領域が、本明細書の任意適切な作用部分に、または当技術分野で知られている任意の他の作用部分に組み込まれ得る。図２１Ｂが、本明細書の任意の拡大可能部材のように形成され得る、自己拡大式のステントのような構造などの、拡大可能部材１６１２を有する例示の先端部領域を示す。拡大可能部材１６１２が、複数の流入開口部を画定する複数の細長い要素を有する。これらの開口部が、左心室の壁などの構造に対してまたはさらには左心室の尖に対して部材１６１２が押圧される場合でも、血流が制限されるのを防止するためのおよび十分な血流を可能にしながら溶血現象を最小にするための十分に開いたスペースを画定する。部材１６１２が、例えば、液滴形状または円形状などの、多様な構成を有することができる（例えば、直径に等しい長さ、または最大で直径の数倍の長さ）。この実施形態では、部材１６１２が作用部分の最も遠位側の端部のところにある。
【０１１５】
[0172]図２１Ｃが、作用部分の最も遠位側の端部のところにある、入口開口部１６０４および１つまたは複数の膨張可能部材１６１９を有する遠位側先端部１６０２を有する例示の作用部分の一部分を示す。膨張可能部材１６１９が作用部分の最も遠位側の端部のところにある。図２１Ｃに示されるような、膨張可能先端部が、概略球形であってよいか、または任意選択で液滴形状であってよく、その結果、より近位側の端部が、心臓内の腱索または同様の構造に、あるいは血管分岐部の近くの他の構造部または他の同様に中空である解剖学的構造の構造部に、引っ掛かる可能性がある構造部を最小限にしか有さないかまたは全く有さないようになる。
【０１１６】
[0173]本明細書の羽根車は、特に明記しない限り、配備・拡大構成から、より小さい外側寸法の折り畳み構成へと、折り畳まれるように適合される。これが、作用部分の全体のための送達プロフィールを最小にするのを補助し、さらには所望の流量を発生させるのを補助し得るようなより大きい外側寸法サイズまで拡大するのを補助する。
【０１１７】
[0174]図２２Ａおよび２２Ｂが、折り畳み構成（図２２Ａ）および拡大構成（図２２Ｂ）にあるブレード１７２０を備える、例示の羽根車１７０１の端面図を示す。羽根車が中央部材１７２１を有し、ブレード１７２０が中央部材１７２１から径方向に延在する。図２２Ｂの拡大構成では、ブレードが中央部材１７２１を基準として径方向外側にさらに延在する。ブレードが、例えば、高分子材料（例えば、ポリエチレン、ポリプロピレン、ポリエステル、ＡＢＳ、ナイロン、アセタール、ポリフェニレンサルファイド）、シリコーン、または、ポリマーウェビングを用いる超弾性ワイヤーフォーム、などの、より大きい外側寸法まで自己拡大する材料から作られ得る。
【０１１８】
[0175]図２３Ａ〜Ｃが、各々がその中に加重要素１８２２を有するブレード１８２０を備える、例示の羽根車１８０１を示す。加重要素１８２２が、より高い密度を有するおもり要素（例えば、タングステン、ステンレス鋼）であってよいか、またはブレードの残りの部分より大きい厚さを有する領域であってよい。したがって、後者の実施形態では、要素１８２２がブレードの一部分であってよく、別個の構成要素ではなくてよい。密度が高いことでまたは厚さが大きいことで、図２３の配備構成と、図２３Ｃに見られる回転中の動作構成とを比較することにより分かるように、羽根車ブレードが遠心力の作用（ｃｅｎｔｒｉｆｕｇａｌ  ｒｅａｃｔｉｏｎ）により外側に引かれる。
【０１１９】
[0176]図２４Ａおよび２４Ｂが、それぞれ折り畳み構成および動作構成にあるブレード１９２２を備える、羽根車１９０１を示す。羽根車ブレード１９２２が、ブレードの面に対して押圧される血液の反力により羽根車ブレードを動かしてあまり拡大していない形状からより拡大した形状へと拡大させるようなかたちで、流体流れを捕らえるように構成される
[0177]本明細書のいくつかの作用部分が複数のルーメンを有することができ、複数のルーメンの各々が流体ルーメンであり、流体（例えば、血液）がこれらの流体ルーメンを通って流れることができる。二重ルーメンの作用部分が、例えば、二重モータのデザインと共に、使用され得る。２つの以上のルーメンが同様に組み込まれてもよく、したがって３つ以上のモータも同様に組み込まれ得る。図２５Ａおよび２５Ｂが、折り畳み構成、送達構成（図２５Ａ）、拡大構成（図２５Ｂ）にある、例示の、マルチルーメン（ルーメン１９２２および１９２４）を有する作用部分を示している。折り畳みプロフィールを小さくすることで送達プロフィールを小さくすることができ、それでも、４〜６Ｌ／分などといったように所望の高流量を可能にするような大きい寸法まで拡大することができる。ルーメンを拡大することができる例示の手法には、網状のバスケット構造を拡大させること、増大する血圧によりルーメンを膨張させること、またはその両方の組み合わせ、が含まれる。
【０１２０】
[0178]図２６Ａおよび２６Ｂが、作用部分のための例示のマルチルーメンのデザインを示しており、それぞれが配備構成および拡大構成を示す。作用部分５０が外側ボディ５１を有し、外側ボディ５１の中に網状構造などのマトリックス構造５２が埋設される。隔壁５３が作用部分の内部に跨って延在し、外側ボディ５１から径方向内側に延在し、それによりルーメン５４および５５を分割する。隔壁５３および外側ボディ５１が可撓性であり、折り畳まれた状態のより小さい外形寸法から配備された状態のより大きい外側寸法まで拡大するときに伸びてより薄くなる（示されるように）。選択される材料によりこれらの特性が得られる。この実施形態の外側プロフィールは円形である。
【０１２１】
[0179]いくつかの関連の実施形態では、例えばモータ結線、圧力測定装置、および／またはガイドワイヤーを収容するための追加のルーメンが含まれてよい。図２７Ａ〜Ｃが、このような追加のルーメンを備える例示の実施形態を示す。図２７Ａが、外壁６０と、隔壁６１と、チャンネル６２と、チャンネル６２によって画定されるルーメン６３と、第１の流体ルーメン６４と、第２の流体ルーメン６５とを備える、例示の作用部分を示す。ルーメン６３およびチャンネル６２が隔壁６１内にある。図２６Ｂでは、ルーメン７３およびチャンネル７２が、ルーメン６４および６５の間の交差部分のところに配置される。作用部分が、壁７０と、隔壁７１と、流体ルーメン７４と、流体ルーメン７５とを有する。図２６Ｃが、壁８０の周縁部のところで隔壁８１に隣接して配置される、チャンネル８２およびルーメン８３を示す。
【０１２２】
[0180]図２８が、作用部分９０が拡大可能部材９３を有する場合の例示の概念を示しており、拡大可能部材９３が複数の細長いセグメント９２（１つの細長いセグメントのみに参照符号が付される）を有する。作用部分９０が、配線部分（ｗｉｒｉｎｇ）および／またはルーメン９１（１つのルーメンのみに参照符号が付されるが、多様な目的のために２つ以上のルーメンが含まれてよい）が拡大可能部材（例えば、網状構造）の中に如何にして組み込まれ得るかをさらに示している。ここでは、ワイヤーおよび／またはルーメン９１が、近位側部分から遠位側部分まで、曲線を成すように、拡大可能部材の周縁部の形状に従う。他の作用部分の構成要素（例えば、羽根車、導管）も、もちろん、拡大可能部材９３に組み込まれ得る。この実施形態では、拡大可能部材が拡大しても、配線部分および／またはルーメンを伸ばすことがない。
【０１２３】
[0181]本開示が、次に、本明細書の任意適切な作用部分および医療デバイスに組み込まれ得る、いくつかの例示の磁気結合部のデザインを説明する。磁気結合部は、本明細書の１つまたは複数の羽根車の回転を始動することができるモータの一部分である。図２９が、作用部分１２０と、磁気結合部１０５と、モータ１０８と、シャフト１１３と、１つまたは複数のワイヤー１０９とを有する、例示の流体移動医療デバイス１００を示す。図２９の実施形態の例示の利点は、別の手技のためにモータが比較的容易に再使用され得ることである。ハウジング１１４が、モータ１０８と、ワイヤー１０９の遠位側部分と、シャフト１１３と、磁気部材１０７とを収容する。作用部分が、流入端部１０１と、先端部１０４と、羽根車１１２と、出口開口部１０３とを有する。使用後、作用部分１０２がハウジング１１４から取り外され得、ハウジング１１４が任意選択の切断ゾーン１１１のところで切断され得るかまたは切り離され得る。これによりモータが分離され、それによりモータを再使用することが可能となる。このデザインはまた、血液に触れないモータ（ｂｌｏｏｄ  ｆｒｅｅ  ｍｏｔｏｒ）を可能にし、この血液に触れないモータはデバイスの再処理においてこの構成要素を再使用することにおいて特に有用となり得る。切断ゾーン１１１は、ダメージを与えることなくモータ１０８および付随の配線部分を取り外すのを容易にするように作られ得る。
【０１２４】
[0182]図３０が、モータおよび駆動ケーブルのための例示の磁気結合部を示す。この磁気結合部の構成は、駆動モータと駆動ケーブルとの間に間接的接触のための隙間を提供するために医療デバイスの近位端の近くで使用され得る。この構成は、非無菌のハンドルユニットを包囲する無菌のバリアを得るのを可能にし、この無菌のバリアが、駆動モータを無菌のカテーテルシャフトコネクタに磁気的に結合するのを可能にするようなかたちで駆動モータを有する。これにより、洗浄、殺菌、および無菌化を必要とすることなく、非無菌のハンドル・ケーブル組立体が、複数回使用の組立体として、多くの医療手技で使用および再使用され得るようになるという利点が得られる。各手技において、作用部分を有する１回使用のカテーテル組立体、および１回使用の無菌バリアが使用されてもよい。
【０１２５】
[0183]図３０が、モータハウジング１２８と医療デバイスのカテーテル部分１２３との間の近位側結合部１２２を示す。カテーテル部分１２３が、本明細書の任意適切な作用部分、または当技術分野で知られている他の作用部分を有する。モータハウジング１２８が、磁気部材１２５に結合されるモータ１２６を有する。無菌スリーブ１２７がモータハウジング１２８の上で前進させられ得る。カテーテル部分１２３が磁気部材１２４および駆動ケーブル１２１を有する。モータの作動により、磁気結合部１２２を介して駆動ケーブルを回転させる。
【０１２６】
[0184]磁気結合部が本明細書の医療デバイスのうちの任意の医療デバイスと共に使用される場合、大きいトルクレバーが必要となる可能性がある。したがって、低い高さでのパッケージング（ひいては、小さい体積でのパッケージング）を可能にするために、大きいカプラホイールをカテーテルシャフトに対して９０度の角度で設置することが有利である可能性がある。図３１がこれの実施形態を示しており、ここでは、駆動ケーブルに結合される９０度のギアセットを使用する。簡潔さのために、デバイスの一部分のみが図３１に示される。モータ１３３が第１の磁気部材１３１に結合される。駆動ケーブル１３５および第２の磁気部材１３２が９０度のギアセット１３４に結合される。
【０１２７】
[0185]いくつかの実施形態では、作用部分が、身体内に容易に挿入するのを可能にするための概略直線の先端部を有することができ、したがってここでは、先端部が、誘導を容易にするためにおよび血管内のまたは脈管間の構造の潜在的な外傷を低減するために概略Ｌ形またはＪ形となるように付勢される。この２次的な遠位側構成が、ガイドワイヤールーメンなどの作用部分ルーメンの中に挿入される高い剛性を有する湾曲部材を使用することにより、完成され得る。別法として、２次的な遠位側構成が、遠位側先端部の近くで作用部分の壁内にある１つまたは複数のプルワイヤーなどの、操縦可能なカテーテル機構により、完成され得る。図３２Ａが、概略直線構成のルーメン領域１４１および遠位側先端部１４２を有する、例示の作用部分１４０を示す。図３２Ｂが、作用部分１４０を通して遠位側先端部１４２の中まで前進させられる、ガイドワイヤーなどの、細長い内部部材１４３を示す。この実施形態では、最初は直線であった先端部１４２が、耐久的に「Ｊ」構成となる。
【０１２８】
[0186]図３３Ａ〜３３Ｅが作用部分の例示の遠位端を示しており、この例示の遠位端は本明細書の任意適切な作用部分または当技術分野で知られている他の作用部分に組み込まれ得る。図３３Ａでは、作用部分１９０が導管１９１および拡大可能部材１９２を有する。拡大可能部材１９２が、要素１９９から近位側に延在するテーパ状のストラット１９３を有する複数の細長い要素を有する。ストラット１９３は要素１９９と一体であってよいかまたは要素９９に結合されていてよい。ストラット１９３が、作用部分ルーメンの中に血液が流れるための入口アパーチャ１９５（１つの入口アパーチャのみに参照符号が付される）を画定する。拡大可能部材１９２の遠位端が、少なくとも１つのアパーチャが第１の面積を有するところの第１の領域１９８と、少なくとも１つのアパーチャが中間アパーチャを有するところの第２の領域１９７と、少なくとも１つのアパーチャが第３の面積を有するところの第３の領域１９６とを有し、ここでは第１の面積が中間面積より大きく、中間面積が第３の面積より大きい。
【０１２９】
[0187]図３３Ｂは図３３Ａに類似するものであり、図３３Ａの説明が参照により図３３Ｂの説明にも組み込まれる。しかし、作用部分２２０が、径方向外側に延在して次いで径方向内側に延在するストラット２２２を有する。作用部分２２０が、羽根車に結合され得る細長い部材２２３と、インターフェース要素２２４とをさらに有する。
【０１３０】
[0188]図３６Ｃの作用部分２３０は図３３Ａおよび３３Ｂに類似するものであり、図３３Ａおよび３３Ｂの説明が参照により図３３Ｃの説明にも組み込まれる。しかし、作用部分２３０が、中に複数のアパーチャ２３２を有する、曲線構成の遠位端２３１を有する。先端部２３１が遠位端２３３を有する。
【０１３１】
[0189]図３３Ｄの作用部分２４０は図３３Ａ〜３３Ｃに類似するものであり、図３３Ａ〜３３Ｃの説明が参照により図３３Ｄの説明にも組み込まれる。しかし、作用部分２４０が、テーパ状に細くなっていて作用部分の遠位端のところで互いに接触するストラット２４３を有する。作用部分２４０が、図３３Ａ〜Ｃの事例のようなストラットの遠位側を延在する別個の先端部分を有さない。作用部分２４０が、部材２４２に対して固着されるシャフト２４１をさらに有する。
【０１３２】
[0190]図３３Ｅの作用部分２５０は図３４Ａ〜Ｄに類似するものであり、図３４Ａ〜Ｄの説明が参照により図３３Ｅの説明にも組み込まれる。しかし、作用部分２５０が、球形、トロイダル形状、卵形状などであってよい、円形構成を有する遠位側延長部分２５１を有する。遠位側延長部分２５１が複数の孔２５３を中に有し、コネクタ部分２５２を介してストラット２５４と一体に形成され得る。
【０１３３】
[0191]図３４が、図１６に示される作用部分に類似する作用部分を示す。作用部分２６５が、近位側羽根車２６６と、遠位側羽根車２６７とを有し、近位側羽根車２６６および遠位側羽根車２６７の両方が駆動シャフト２７８に結合され、駆動シャフト２７８が遠位側軸受ハウジング２７２の中まで延在する。作用部分の近位端のところに類似の近位側軸受ハウジングが存在する。作用部分が、概して２７０として示される拡大可能部材と、拡大可能部材に固着されて拡大可能部材のほぼ全長に沿って延在する導管２６８とをさらに有する。拡大可能部材２７０が、遠位側先端部２７３に固着されるストラット支持体２７３まで延在してストラット支持体２７３に固着される遠位側ストラット２７１を有し、ストラット支持体２７３が遠位側先端部２７３に固着される。拡大可能部材２７０が、近位側ストラット支持体に固着される近位側ストラットをさらに有する。図１６の構造部に類似のすべての構造部が、明確には記述されない場合であっても、参照によりこの実施形態に組み込まれる。拡大可能部材２６５が、拡大可能部材の周縁部に沿って配置される螺旋状テンション部材２６９をさらに有し、螺旋テンション部材２６９が示されるような拡大部材の拡大構成時に螺旋構成を有する。螺旋テンション部材２６９が、折り畳み時に回転式に巻く（ｒｏｔａｔｉｏｎ  ｗｒａｐ）のを誘発するように配置および適合される。作用部分２６５が、拡大可能部材と相互作用することを理由として羽根車の渦巻き状の折り畳みを促進するために一方または両方の羽根車を比較的低い速度で回転させるのと同時に、示される拡大構成から折り畳まれ得る。螺旋テンション部材２６９（または、螺旋構成の拡大可能部材セル）が集合体のテンション部材として機能する。また、この螺旋テンション部材２６９は以下のことを目的として構成される：拡大可能バスケットを折り畳むためにその長手方向に沿って張力により拡大可能バスケットを引っ張るときに（例えば、約２倍の長さにするなどいったように、長い距離にわたって伸ばすことにより）、テンション部材２６９が直線的なアライメントとなるように引っ張られ、さらにそれにより折り畳み中に拡大可能部材の所望のセグメントが回転させられ／捻じられ、さらにそれにより、拡大可能部材およびブレードが折り畳まれるときに羽根車ブレードが径方向内側に巻かれるようになる。このようなテンション部材の例示の構成が、螺旋形態時に、折り畳み時の拡大可能部材の最大長さとほぼ等しい曲線構成を有することになる。代替的実施形態では、折り畳まれるときに、折り畳み可能な羽根車を包囲する拡大可能部材の一部分のみが回転させられる。
【０１３４】
[0192]伸ばすことにより（ひいては、羽根車ブレードを巻いて折り畳むことにより）折り畳まれるときに拡大可能部材を回転させることになるように作用部分を構築するための代替の手法が存在する。二重の羽根車のデザインであっても、任意の拡大可能部材がこのような構造部を有するように構築され得る。例えば、用語の一般に知られている意味と同じ意味として、複数の「セル」（例えば、レーザ切断される細長い部材）を有する拡大可能部材を用いる場合、拡大可能部材が、螺旋構成などの特定の構成を一体に画定する複数の特定のセルを有することができ、ここでは、この構成を画定するセルが、拡大可能部材内の他のセルとは異なる物理特性を有する。いくつかの実施形態では、拡大可能部材が網状構成を有することができ、ねじれ領域がワイヤーのグループの全体を構築することができるか、または網状のワイヤーの有意な部分（例えば、半分以上）を構築することができる。このような捻じれた網状構成は、例えば、網状にするプロセス中に、特には網状構成の最大径の部分の長さにわたる範囲において、ワイヤーをその上で網状にするところのマンドレルをその引っ張り時に捻じることなどにより、完成され得る。この構成は、成形されたマンドレルの上で巻かれた状態のプロフィールをヒートセットする前に網状構成を機械的に捻じることなどの、構成プロセスの第２のオペレーション中に、完成されてもよい。
【０１３５】
[0193]図３５が、本明細書の複数の羽根車を備えるポンプのデザインのうちの任意のデザインに対しての代替的実施形態を示しており、ここでは、アルキメデスポンプに類似の血液を運ぶためのブレードのピッチと等しい螺旋ピッチを有するように構成される羽根車ブレード２８５の間に、端にある２つの半剛性羽根車２８２と、可撓性の螺旋状壁２８３とが存在する。別の実施形態では、可撓性チューブが捻じられるときにときの通常の傾向として可撓性壁を羽根車駆動シャフト２８６の上まで折り畳むのを防止するための複数の径方向支持体が可撓性壁の長さに沿って存在する。
【０１３６】
[0194]本明細書のピグテール形の先端部のうちの任意の先端部を用いることにより、ピグテール形の先端部が、多様な実在物の特性を促すために多様な壁厚さを有することができる。例示の実施形態では、例えば、ピグテールの最も遠位側の領域内に大きい壁厚さを有し、最も遠位側の領域の近位側に配置される領域内に比較的薄い壁厚さを有する。
【０１３７】
[0195]図３６が、本明細書の流体ポンプのうちの任意の流体ポンプと共に使用され得る、ディスプレイ２９０を備える例示のポンプコンソールを示す。コンソールが、速度表示要素と、羽根車の回転指示要素と、推定される血液流量ディスプレイ２９３と、センサディスプレイ２９４（例えば、血圧の読取値）と、バッテリーアイコンと、流体ポンプ電子機器よび／またはパージ用接続部２９５と、を有する。
【０１３８】
[0196]いくつかの実施形態では、カテーテル電気接続部および流体接続部が、例えば磁気による引力などによりコンソールにインターフェース接続されるように構成される単一のコネクタとなるように一体化される。代替的実施形態では、電気接続部が流体接続とは別個にインターフェース接続される。このような実施形態では、接続部が、一体化される対のコネクタとしてインターフェース接続されるように互いに隣接していてよい。いくつかの実施形態では、コンソールが、いずれかのまたは両方のコネクタが適切にかつ完全に対合しているか否かを感知するように適合される。
【０１３９】
[0197]いくつかの実施形態では、塩水を注入することなどによる流体の取り込みが、血流を誘導するのに使用される。他の例示の流体としてデキストロース溶液または血液がある。取り込みとは、剪断によって誘発される乱流フラックスにより、２つの塊の流体の間の界面に跨っての流体の移送のことであるが、重要なことは、乱流フラックスによって生じ得る血液の溶血現象を最小にすることである。
【０１４０】
[0198]本開示は、本明細書の作用部分の適切な位置決めを確認するためのデバイスおよび方法を含む。いくつかの実施形態では、例えば、１つまたは複数の超音波水晶振動子（ｕｌｔｒａｓｏｕｎｄ  ｃｒｙｓｔａｌ）（例えば、圧電性結晶）が、本明細書の作用部分のうちの任意の作用部分に含まれる。超音波水晶振動子が血流などの流体の動きを示すのに使用され得、さらには大動脈弁および／または僧帽弁の動きを検出するのに使用され得る。このようなセンサのための例示のロケーションとして、作用部分の血液流出ポートの近く、および作用部分の血液流入ポートの近くがある。１つの使用方法では、血流の方向および乱流の程度がセンサによって測定され得、血液流入ポートと血液流出ポートとの間において作用部分が弁（例えば、大動脈弁）のところに位置しているか否かを判断するために、参照データと比較され得る。感知情報が適切な配置を示さない場合、センサによって適切な配置の指標を感知するようになるまで、作用部分が移動させられ得る。上行大動脈内では、血液が主として大動脈弁から下行大動脈に向かって血液が流れることになる。逆に、心室内では、心室筋の１回の収縮ごとに心室の空洞が充填されさらには部分的に空になることから、流れ方向が頻繁に変化し、つまり周期的なものとなる。大動脈弁小葉の動きにより、超音波水晶振動子がそこを通過するときに認識され得るような、認識可能パターンが提示され得る。これらの方法は、本明細書の方法のうちの任意の方法と共に使用され得る。
【０１４１】
[0199]いくつかの実施形態では、医療デバイスが、作動部分の配置中および確認中に、またさらには所望される場合の、移動中に、解剖学的構造を直接に視認するための小型のビデオカメラ（例えば、作用部分に結合されるか作用部分の近くの近位側にある）を有する。例示の実施形態では、１つまたは複数のカメラが作用部分の流出ポートの近位側に配置され、その結果、使用者が、大動脈弁を通るように誘導されているときの作用部分の端部を直接に視認することができる。カテーテルシャフト上に配置される可視マーキングが、大動脈弁などの弁を基準としてカテーテルが適切に配置されていることをさらに示すことができる（例えば、血液流入ポートと血液流出ポートと間に弁がくるようにするために作用部分が配置され得る）。いくつかの実施形態では、ビデオカメラシステムが、血液による合計の光学損失を最小にするような波長の放射線などにより、大動脈などの血液で満たされた血管のいたるところを可視化するように適合される。例示の波長として、赤外線スペクトルの範囲内にある波長がある。いくつかの実施形態では、この波長の放射線が少なくとも部分的に心臓血管またはカテーテル表面によって反射されて後方散乱することから、それにより、反射されて後方散乱した放射線のすべての強度信号を検出し、血液のみによって後方散乱する放射線の強度信号を選択することにより検出信号を処理し、血液のみによって後方散乱する放射線の選択された強度信号を、反射されて後方散乱する放射線の検出されたすべての強度信号から減算し、それにより、減算によって得られた異なる強度信号を使用して心臓血管またはカテーテル表面のイメージを再構築する。
【０１４２】
[0200]本明細書の任意の関連の実施形態では、作用部分の軸受および／またはモータ組立体に血液が入るのを防止するための軸受またはシールとして、磁性流体が使用され得る。いくつかの実施形態では、デバイスのガス滅菌中に、磁性流体が別個のリザーバまたはチャンネル内に収容され、軸受および／またはシールとして機能することを目的として意図されるスペースを充填する場合に、磁界の中へと放出または注入される。いくつかの実施形態では、磁性流体を収容するリザーバが、塩水を用いてデバイスを洗浄することなどによる流体接触により溶解するかまたは血液接触による溶解する膜を備え、その結果、膜が溶解するときに、磁性流体が定位置へと放出される。
【０１４３】
[0201]いくつかの実施形態では、ハンドル内の駆動モータが、熱電冷却器（ＴＥＣ：ｔｈｅｒｍｏｅｌｅｃｔｒｉｃ  ｃｏｏｌｅｒ）によって冷却され得、ここでは、ＴＥＣの高温の端部からの熱が冷却フィンによりまたは流体の循環により放散される。別法として、ハンドル内の駆動モータが、空気に対して露出される複数の冷却フィンによって冷却され得る。冷却フィンが、空気駆動ファンによってその冷却フィンを横断するように通る空気を有することができる。
【０１４４】
[0202]いくつかの実施形態では、トルクフィードバックが、大動脈弁などの弁の両側に血液入口ポートおよび血液出口ポートが配置されているかどうかを判断するのに使用され得る。トルクフィードバックを測定するための１つの例示の方法は、弁に跨って作用部分が配置されているときの位置および流量の直接に観察により行われるものであるが、これはさらには、左心室／上行大動脈の中に完全に入っている入口／出口も用いるものであり、羽根車の回転速度の関数としてトルクの境界を決定する。これらの境界は、入口および出口が大動脈弁の両側にあるかどうかを確認するのに使用され得る。
【０１４５】
[0203]本明細書の関連の実施形態のうちの任意の実施形態では、作用部分が遠位側羽根車と近位側羽根車との間に１つまたは複数の流体出口孔を有することができ、その結果、流体出口孔が、遠位側羽根車セクションを左心室内に存在させてさらには近位側羽根車システムを上行大動脈内に存在させるシステムにおいて、心臓動脈を支援することができるようになる。
【０１４６】
[0204]本明細書の作用部分の血液流出端部が、血栓および／または懐死組織片を捕らえるように適合されるフィルタを有することができる。
[0205]いくつかの実施形態では、第１の羽根車（例えば、遠位側羽根車または近位側羽根車）が駆動ケーブルに固定的に固着され得、第２の羽根車（例えば、遠位側羽根車または近位側羽根車）がシステムの折り畳み時に駆動ケーブルに沿って摺動する（例えば、近位側にまたは遠位側に）ように構成され得る。しかし、この摺動可能な羽根車は、システムの拡大時に、固定される羽根車に機械的に係合されるように構成される。この機械的係合はギア付きのまたは穴付きの端部を備える中間チューブ類によって実現され得、その結果、中間チューブ類が第１の羽根車から第２の羽根車へトルクを伝達する。代替的実施形態では、３つ以上の羽根車が同様に構成され得、ここでは、１つの羽根車が駆動ケーブルに取り付けられ、残りの羽根車が、取り付けられた羽根車に機械的に係合される。
【０１４７】
[0206]任意の送達方法、位置決め方法、および使用方法が使用されるとき、以下の追加のステップのうちの任意のステップも、その任意の組み合わせで、実施され得る。以下の任意選択のステップは、ｐＶＡＤ手技の一部として実施され得る一部の臨床ステップまたは臨床プロセスを示すものである。
【０１４８】
[0207]実施され得る例示の１つのプロセスが、抗凝固を評価するために有効な凝固時間（ＡＣＴ：ａｃｔｉｖａｔｅｄ  ｃｌｏｔｔｉｎｇ  ｔｉｍｅ）または部分的トロンボプラスチン時間（ＰＴＴ：ｐａｒｔｉａｌ  ｔｈｒｏｍｂｏｐｌａｓｔｉｎ  ｔｉｍｅ）を測定するためのプロセスである。本明細書の実施形態のうちの任意の実施形態では、ＡＣＴまたはＰＴＴセンサが流体圧送デバイスに組み込まれ得るかまたは取り付けられ得、ここでは流体圧送デバイスの上にある作用部などの上に組み込まれ得るかまたは取り付けられる。ＡＣＴおよび／またはＰＴＴが、以下の時間：流体デバイスを挿入する前、流体デバイスの使用中（例えば、４〜８時間ごと）、流体ポンプを取り外した後、シースを取り外す前、のうちの任意の時間または全時間にわたって、測定され得る。溶血現象が起こる場合、ヘモグロビンおよびヘマトクリット値が減少し、ハプトグロビンが減少し、血漿遊離ヘモグロビンが増加する。
【０１４９】
[0208]実施され得る１つの別の例示のステップは、障害物を理由としたアクセス部位の肢虚血が起こっていないことを実証するステップである。本明細書の実施形態のうちの任意の実施形態では、血液流量のための１つまたは複数のセンサが、流体圧送カテーテルの上に、あるいは動脈アクセスシースまたは静脈アクセスシースの上に、位置してよい。
【０１５０】
[0209]実施され得る１つの別の例示のステップは、出血または血腫に関して動脈アクセス部位を定期的に評価するステップである。本明細書の実施形態のうちの任意の実施形態では、動脈アクセスシースまたは静脈アクセスシースが、血管アクセス部位のところでの出血または血腫を検出するように適合される１つまたは複数のセンサを有することができる。
【０１５１】
[0210]使用されるデバイスおよびデバイスを位置決めする方法に応じて実施され得る１つの別の例示のステップは、作用部分が適切に前進させられて弁に跨るように配置されていることを実証するステップである（例えば、大動脈弁に跨る位置決めを示す図１８を参照されたい）。例えば、左心室内での、および大動脈弁に跨る、作用部分の適切な位置を確認するのに蛍光透視法が使用され得る。さらに、感知される圧力が適切な位置決めを実証するのに使用され得る。例えば、心室の波形および大動脈の波形に関する評価が実施され得る。加えて、高流量において、または心室機能が低下する場合において、患者の血流が脈動的ではない可能性がある。さらに、モータの電流信号が適切な位置決めを判断するのに使用され得る。例えば、作用部分の流れ入口および流れ出口が左心室または動脈の中にある場合には、または心室機能が低下する場合には、モータの電流信号が単調になる。例えば、プロセスエンジンが、ポンプの流れ出口から流れ入口までの流体の再循環に相互に関連する非定型パターンに関してモータ電流を監視することができる。加えて、ポンプが、心室内に吸引力が存在しないことを実証するように適合され得る。
【０１５２】
[0211]実施され得る１つの別の例示のステップは、大動脈弁のダメージの指標を評価するステップである。例えば、１つまたは複数のひずみゲージセンサが、大動脈弁などの弁に跨るように作用部分が延びているところの領域において、作用部分上に配置され得る。
【０１５３】
[0212]実施され得る１つの別の例示のステップは、流体ポンプによって運ばれる血液流量を感知するステップである。例えば、１つまたは複数の流量センサが、作用部分に直接に隣接するデバイス上に配置され得る作用部分の一部分であってよい。例えば、超音波水晶振動子センサが、作用部分の上または作用部分の中などといったように、デバイスの上またはデバイスの中に配置され得、作用部分によって推進される血液の流れを測定するように位置合わせされ得る。加えてまたは別法として、作用部分の中を流れるかまたは作用部分から外に出る血液の速度を測定するのにドップラークリスタルが使用され得る。
【０１５４】
[0213]実施され得る１つの別の例示のステップは、１つまたは複数の羽根車の回転速度を感知してその回転速度を血液流量に相互に関連付けるステップである。
[0214]実施され得る１つの別の例示のステップは、任意選択で頻繁に、患者が血行動態不安定を有してないことを実証するステップである。例えば、血液圧送システムが、心臓の鼓動などの心臓機能を示す電気信号の伝導を測定するための複数の心電図リード線を有することができる。
【０１５５】
[0215]実施され得る１つの別の例示のステップは、心臓性ショックを有する患者にとって有用である可能性がある継続的な心拍出量の監視を実施するステップである。例えば、作用部分などの流体圧送デバイスが、心駆出率および／または心指数を示すための熱希釈法センサなどの１つまたは複数のセンサを有することができる。
【０１５６】
[0216]一部の使用では、少なくとも２である心指数および１２ｋＰａ（９０ｍｍＨｇ）以上の収縮期血圧を維持することを目的として流体ポンプが配置された後でも、ドブタミンまたはミルリノンなどの変力薬、ならびにドーパミンおよびノルエピネフリンなどの昇圧薬が必要となる可能性がある。
【０１５７】
[0217]患者が長期ペースメーカーまたは植込み型除細動器の信号解読を必要する場合、流体ポンプコンソールが、信号を確立する間において数秒間だけオフに切り換えられ得る。例えば、流体ポンプの中でのおよび患者の中でのすべての可能性のある電気接触が電気的に絶縁され、その結果、流体ポンプシステムとペースメーカーまたは植込み型除細動器などの稼働中の植込み型電子デバイスとの間に電気的干渉が起こる可能性がなくなる。
【０１５８】
[0218]本明細書の方法のうちの任意の方法の一部分が、血流再開、低血圧、致死性の不整脈などの、合併症がないことを実証することである。
[0219]いくつかの実施形態では、例えば左心室のサイズおよび機能を評価するために、経胸壁超音波心臓図検査（ＴＴＥ：ｔｒａｎｓｔｈｏｒａｃｉｃ  ｅｃｈｏｃａｒｄｉｏｇｒａｐｈｙ）が実施され得る。
【０１５９】
[0220]いくつかの実施形態では、換気においておよび血栓症／潰瘍の予防において患者整位が考慮される。
[0221]一部の使用では、血液の浸入／炭化（ｃｈａｒｒｉｎｇ）を示すために、モータおよび／またはケーブルの温度が監視され得る。
【０１６０】
[0222]いくつかの実施形態では、１つまたは複数のひずみセンサが拡大可能部材のうちの任意の拡大可能部材に組み込まれ得、拡大可能部材の配備を評価するのに使用され得る。
【図１】
2020523090.tif 000003
【図２Ａ】
2020523090.tif 000004
【図２Ｂ】
2020523090.tif 000005
【図３Ａ】
2020523090.tif 000006
【図３Ｂ】
2020523090.tif 000007
【図４Ａ】
2020523090.tif 000008
【図４Ｂ】
2020523090.tif 000009
【図５】
2020523090.tif 000010
【図６】
2020523090.tif 000011
【図７】
2020523090.tif 000012
【図８】
2020523090.tif 000013
【図９】
2020523090.tif 000014
【図１０】
2020523090.tif 000015
【図１１】
2020523090.tif 000016
【図１２】
2020523090.tif 000017
【図１３】
2020523090.tif 000018
【図１４】
2020523090.tif 000019
【図１５】
2020523090.tif 000020
【図１６】
2020523090.tif 000021
【図１７】
2020523090.tif 000022
【図１８Ａ】
2020523090.tif 000023
【図１８Ｂ】
2020523090.tif 000024
【図１８Ｃ】
2020523090.tif 000025
【図１８Ｄ】
2020523090.tif 000026
【図１９】
2020523090.tif 000027
【図２０Ａ】
2020523090.tif 000028
【図２０Ｂ】
2020523090.tif 000029
【図２０Ｃ】
2020523090.tif 000030
【図２１Ａ】
2020523090.tif 000031
【図２１Ｂ】
2020523090.tif 000032
【図２１Ｃ】
2020523090.tif 000033
【図２２Ａ】
2020523090.tif 000034
【図２２Ｂ】
2020523090.tif 000035
【図２３Ａ】
2020523090.tif 000036
【図２３Ｂ】
2020523090.tif 000037
【図２３Ｃ】
2020523090.tif 000038
【図２４】
2020523090.tif 000039
【図２５Ａ】
2020523090.tif 000040
【図２５Ｂ】
2020523090.tif 000041
【図２６Ａ】
2020523090.tif 000042
【図２６Ｂ】
2020523090.tif 000043
【図２７Ａ】
2020523090.tif 000044
【図２７Ｂ】
2020523090.tif 000045
【図２７Ｃ】
2020523090.tif 000046
【図２８】
2020523090.tif 000047
【図２９】
2020523090.tif 000048
【図３０】
2020523090.tif 000049
【図３１】
2020523090.tif 000050
【図３２Ａ】
2020523090.tif 000051
【図３２Ｂ】
2020523090.tif 000052
【図３３Ａ】
2020523090.tif 000053
【図３３Ｂ】
2020523090.tif 000054
【図３３Ｃ】
2020523090.tif 000055
【図３３Ｄ】
2020523090.tif 000056
【図３３Ｅ】
2020523090.tif 000057
【図３４】
2020523090.tif 000058
【図３５】
2020523090.tif 000059
【図３６】
2020523090.tif 000060
【国際調査報告】
2020523090.tif 000061